(57)【要約】  本発明は、情報取得方法、装置、プログラム、及び記録媒体に関し、インターネット技術分野に属する。前記情報取得方法は、動画中の画像要素、音声要素、或は、再生セグメントである、少なくとも一つの動画要素の関連情報を取得するステップと、所定のタイミングに前記関連情報を表示するステップとを含む。このようにして、関連技術中の情報を取得する効率がより低い問題を解決して、端末は所定のタイミングに動画要素の関連情報を表示できて、情報を取得する効率を上昇させる効果に達した。【選択図】図３
2016533075.tif 000002
【特許請求の範囲】
【請求項１】
端末に利用される情報取得方法であって、
動画中の画像要素、音声要素、或は、再生セグメントである、少なくとも一つの動画要素の関連情報を取得するステップと、
所定のタイミングに前記関連情報を表示するステップと
を含むことを特徴とする情報取得方法。
【請求項２】
前記動画中の少なくとも一つの動画要素の関連情報を取得するステップは、
予め設定されたタイミングに、サーバから前記動画の少なくとも一つの動画要素の関連情報をダウンロードして保存するステップを含み、
前記予め設定されたタイミングは、前記動画の再生前のタイミング、前記動画の再生中のタイミング、或は、アイドルタイミングを含む
ことを特徴とする請求項１に記載の情報取得方法。
【請求項３】
前記所定のタイミングは、
前記動画のエンドクレジットまで再生させた際のタイミング、或は、
前記動画の再生中に、一時停止の信号が受信された際のタイミングを含む
ことを特徴とする請求項２に記載の情報取得方法。
【請求項４】
前記動画中の少なくとも一つの動画要素の関連情報を取得するステップは、
前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出するステップ
を含むことを特徴とする請求項１に記載の情報取得方法。
【請求項５】
前記動画中の少なくとも一つの動画要素の関連情報を取得するステップは、
前記動画中のある再生位置まで再生させた際にユーザの情報取得命令が受信された場合、サーバに、前記再生位置に関連する動画要素の関連情報を取得するための情報取得要求を送信するステップと、
前記サーバからフィードバックされた、前記再生位置に関連する動画要素の関連情報を受信するステップと
を含むことを特徴とする請求項１に記載の情報取得方法。
【請求項６】
前記サーバに情報取得要求を送信するステップは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記サーバに、前記動画の動画ＩＤと前記再生位置に対応する再生情報とが付加された前記情報取得要求を送信するステップと
を含むことを特徴とする請求項５に記載の情報取得方法。
【請求項７】
前記所定のタイミングは、
前記再生位置に関連する動画要素の関連情報が取得された後のタイミングを含む
ことを特徴とする請求項４乃至６のいずれか１項に記載の情報取得方法。
【請求項８】
前記所定のタイミングに前記関連情報を表示するステップは、
前記端末が再生デバイスであって、且つ、前記再生デバイスに対応するリモコンに情報表示機能が有さない場合、予め設定された形式に従って、前記関連情報をダイレクトに表示するステップと、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信するステップと、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信するステップと、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信するステップと
を含み、
前記予め設定された形式には、分割表示の形式、リスト表示の形式、タグ付け表示の形式、スクロール表示の形式、弾幕表示の形式、及びポップアップ表示の形式の中の少なくとも一つが含まれる
ことを特徴とする請求項１乃至６のいずれか１項に記載の情報取得方法。
【請求項９】
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるステップ
をさらに含むことを特徴とする請求項１乃至６のいずれか１項に記載の情報取得方法。
【請求項１０】
サーバに利用される情報取得方法であって、
動画中の画像要素、音声要素、又は再生セグメントである、少なくとも一つの動画要素の関連情報を生成するステップと、
所定のタイミングに、前記関連情報を表示するための端末に、前記動画中の少なくとも一つの動画要素の関連情報を提供するステップと
を含むことを特徴とする情報取得方法。
【請求項１１】
前記動画中の少なくとも一つの動画要素の関連情報を前記端末に提供するステップは、
予め設定されたタイミングに、前記動画中の少なくとも一つの動画要素の関連情報のダウンロードを前記端末に提供するステップ
を含み、
前記予め設定されたタイミングは、前記端末の前記動画の再生前のタイミング、前記端末の動画の再生中のタイミング、或は、前記端末のアイドルタイミングを含む
ことを特徴とする請求項１０に記載の情報取得方法。
【請求項１２】
前記動画中の少なくとも一つの動画要素の関連情報を前記端末に提供するステップは、
前記端末により送信した情報取得要求が受信された後、前記動画中の一つの再生位置に関連する動画要素の関連情報を前記端末にフィードバックするステップを含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項１０に記載の情報取得方法。
【請求項１３】
前記動画中の少なくとも一つの動画要素の関連情報を生成するステップは、
前記動画中の少なくとも一つの動画要素を識別するステップと、
各々の動画要素の関連情報を取得するステップと
を含むことを特徴とする請求項１０乃至１２のいずれか１項に記載の情報取得方法。
【請求項１４】
前記動画中の少なくとも一つの動画要素を識別するステップは、
前記動画をデコードすることにより、画像フレームデータ、又は、画像フレームデータ及び音声フレームデータの両方が含まれた動画データである、少なくとも一つのフレームの動画データを取得するステップと、
画像フレームデータに対しては、画像識別技術に従って前記画像フレームデータ中の画像要素を識別するステップと、
音声フレームデータに対しては、音声識別技術に従って前記音声フレームデータ中の音声要素を識別するステップと
を含むことを特徴とする請求項１３に記載の情報取得方法。
【請求項１５】
前記動画中の少なくとも一つの動画要素を識別するステップは、
前記端末により送信した情報取得要求が受信された後、前記情報取得要求中に付加された一つの再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記再生情報に基づいて前記動画中の前記再生位置に対応する動画要素を取得するステップと
を含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
ことを特徴とする請求項１３に記載の情報取得方法。
【請求項１６】
前記動画中の少なくとも一つの動画要素を識別するステップは、
他の端末により前記動画に対してアップロードした動画要素であって、前記他の端末のユーザにより標記した動画要素である、少なくとも一つの動画要素を受信するステップ
を含むことを特徴とする請求項１３に記載の情報取得方法。
【請求項１７】
前記各々の動画要素の関連情報を取得するステップは、
各々の動画要素に対して、情報検索技術に従って前記動画要素に関連する少なくとも一つの情報を取得するステップと、
予め設定された条件に基づいて少なくとも一つの情報をソートして、ソート位置の先頭からのｎ（ｎは正の整数である）個の関連情報を抽出して前記動画要素の関連情報とするステップと
を含み、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む
ことを特徴とする請求項１３に記載の情報取得方法。
【請求項１８】
前記各々の動画要素の関連情報を取得するステップは、
他の端末により前記動画要素に対してアップロードした関連情報を受信するステップ
を含み、
前記他の端末は、他のユーザが使用する端末であるか、或は、前記動画要素のメーカー、又はプロバイダーが使用する端末である
ことを特徴とする請求項１３に記載の情報取得方法。
【請求項１９】
端末に利用される情報取得装置であって、
動画中の画像要素、音声要素、或は、再生セグメントである、少なくとも一つの動画要素の関連情報を取得するための情報取得モジュールと、
所定のタイミングに前記関連情報を表示するための情報表示モジュールと
を備えることを特徴とする情報取得装置。
【請求項２０】
前記情報取得モジュールは、予め設定されたタイミングにサーバから前記動画の少なくとも一つの動画要素の関連情報をダウンロードして保存し、
前記予め設定されたタイミングは、前記動画の再生前のタイミング、前記動画の再生中のタイミング、或は、アイドルタイミングを含む
ことを特徴とする請求項１９に記載の情報取得装置。
【請求項２１】
前記所定のタイミングは、
前記動画のエンドクレジットまで再生させた際のタイミング、或は、
前記動画の再生中に、一時停止の信号が受信された際のタイミングを含む
ことを特徴とする請求項２０に記載の情報取得装置。
【請求項２２】
前記情報取得モジュールは、前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出する
ことを特徴とする請求項１９に記載の情報取得装置。
【請求項２３】
前記情報取得モジュールは、
前記動画中のある再生位置まで再生させた際にユーザの情報取得命令が受信された場合、サーバに、前記再生位置に関連する動画要素の関連情報を取得するための情報取得要求を送信するための要求送信ユニットと、
前記サーバからフィードバックされた、前記再生位置に関連する動画要素の関連情報を受信するための情報受信ユニットと
を備えることを特徴とする請求項１９に記載の情報取得装置。
【請求項２４】
前記要求送信ユニットは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するための情報取得サブユニットと、
前記サーバに、前記動画の動画ＩＤと前記再生位置に対応する再生情報とが付加された前記情報取得要求を送信するための要求送信サブユニットと
を備えることを特徴とする請求項２３に記載の情報取得装置。
【請求項２５】
前記所定のタイミングは、
前記再生位置に関連する動画要素の関連情報が取得された後のタイミングを含む
ことを特徴とする請求項２２乃至２４のいずれか１項に記載の情報取得装置。
【請求項２６】
前記情報表示モジュールは、
前記端末が再生デバイスであって、且つ、前記再生デバイスに対応するリモコンに情報表示機能が有さない場合、予め設定された形式に従って、前記関連情報をダイレクトに表示させ、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信し、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信し、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信し、
前記予め設定された形式には、分割表示の形式、リスト表示の形式、タグ付け表示の形式、スクロール表示の形式、弾幕表示の形式、及びポップアップ表示の形式の中の少なくとも一つが含まれる
ことを特徴とする請求項１９乃至２４のいずれか１項に記載の情報取得装置。
【請求項２７】
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるための情報ジャンプモジュール
を、さらに備えることを特徴とする請求項１９乃至２４のいずれか１項に記載の情報取得装置。
【請求項２８】
サーバに利用される情報取得装置であって、
動画中の画像要素、音声要素、又は再生セグメントである、少なくとも一つの動画要素の関連情報を生成するための情報生成モジュールと、
所定のタイミングに、前記関連情報を表示するための端末に、前記動画中の少なくとも一つの動画要素の関連情報を提供するための情報提供モジュールと
を備えることを特徴とする情報取得装置。
【請求項２９】
前記情報提供モジュールは、予め設定されたタイミングに、前記動画中の少なくとも一つの動画要素の関連情報のダウンロードを前記端末に提供し、
前記予め設定されたタイミングは、前記端末の前記動画の再生前のタイミング、前記端末の動画の再生中のタイミング、或は、前記端末のアイドルタイミングを含む
ことを特徴とする請求項２８に記載の情報取得装置。
【請求項３０】
前記情報提供モジュールは、前記端末により送信した情報取得要求が受信された後、前記動画中の一つの再生位置に関連する動画要素の関連情報を前記端末にフィードバックし、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項２８に記載の情報取得装置。
【請求項３１】
前記情報提供モジュールは、
前記動画中の少なくとも一つの動画要素を識別するための要素識別ユニットと、
各々の動画要素の関連情報を取得するための情報取得ユニットと
を備えることを特徴とする請求項２８乃至３０のいずれか１項に記載の情報取得装置。
【請求項３２】
前記要素識別ユニットは、
前記動画をデコードすることにより、画像フレームデータ、又は、画像フレームデータ及び音声フレームデータの両方が含まれた動画データである、少なくとも一つのフレームの動画データを取得するための動画データ取得サブユニットと、
画像フレームデータに対しては、画像識別技術に従って前記画像フレームデータ中の画像要素を識別するための第１識別サブユニットと、
音声フレームデータに対しては、音声識別技術に従って前記音声フレームデータ中の音声要素を識別するための第２識別サブユニットと
を備えることを特徴とする請求項３１に記載の情報取得装置。
【請求項３３】
前記要素識別ユニットは、
前記端末により送信した情報取得要求が受信された後、前記情報取得要求中に付加された一つの再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するための再生情報取得サブユニットと、
前記再生情報に基づいて前記動画中の前記再生位置に対応する動画要素を取得するための要素取得サブユニットと
を備え、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項３１に記載の情報取得装置。
【請求項３４】
前記要素識別ユニットは、他の端末により前記動画に対してアップロードした動画要素であって、前記他の端末のユーザにより標記した動画要素である、少なくとも一つの動画要素を受信する
ことを特徴とする請求項３１に記載の情報取得装置。
【請求項３５】
前記情報取得ユニットは、
各々の動画要素に対して、情報検索技術に従って前記動画要素に関連する少なくとも一つの情報を取得するための情報取得サブユニットと、
予め設定された条件に基づいて少なくとも一つの情報をソートして、ソート位置の先頭からのｎ（ｎは正の整数である）個の関連情報を抽出して前記動画要素の関連情報とするための情報ソートサブユニットと
を備え、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む
ことを特徴とする請求項３１に記載の情報取得装置。
【請求項３６】
前記情報取得ユニットは、他の端末により前記動画要素に対してアップロードした関連情報を受信し、
前記他の端末は、他のユーザが使用する端末であるか、或は、前記動画要素のメーカー、又はプロバイダーが使用する端末である
ことを特徴とする請求項３１に記載の情報取得装置。
【請求項３７】
端末に利用される情報取得装置であって、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示するように構成される
ことを特徴とする情報取得装置。
【請求項３８】
サーバに利用される情報取得装置であって、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示するように構成される
ことを特徴とする情報取得装置。
【発明の詳細な説明】
【技術分野】
【０００１】
本願は、出願番号がＣＮ２０１４１０３００２０９.Ｘであって、出願日が２０１４年６月２６日である中国特許出願に基づいて優先権を主張し、当該中国特許出願のすべての内容を援用するようにする。
【０００２】
本発明は、インターネット技術分野に関し、特に、情報取得方法、及び装置に関する。
【背景技術】
【０００３】
テレビ番組、映画などのような動画は、人々の日常生活中の不可欠のものである。一つの動画には、非常に多い動画要素が含まれていてもよい。例えば、一つの動画中には、いろんなスター、観光名所、物品、クラシックの台詞、サントラ、等が含まれている。
【０００４】
ユーザは、動画中のある一つの動画要素に興味を持つ時には、手動で当該動画要素に関連する関連情報を取得する必要がある。例えば、ユーザは、動画Ａ中の一つの撮影ミス(ｇｏｏｆｓ)を照会しようとする場合、動画Ａの再生過程中で、早送り、早戻し（巻き戻し）、再生プログレスバーを調節する方法によって、当該撮影ミスの位置を特定して再生させる必要がある。また、例えば、ユーザは、動画Ｂ中の1台のレーシングカーの関連情報を取得しようとする場合、ブラウザに当該レーシングカーのキーワードを手動に入力して検索して、検索結果の中から当該レーシングカーの関連情報を検出する必要がある。
【０００５】
発明者は、本発明を実現する過程において、上記の方法には少なくとも以下の欠点が存在することを発見した。ユーザは、動画の中のある一つの動画要素に興味を持つ時に、一般的には、当該動画要素の情報を手動に取得する必要がある。取得する過程全体においてユーザは操作を数回も繰り返して実行する必要があるため、情報を取得する効率が悪い。
【発明の開示】
【０００６】
関連技術中の情報を取得する効率が悪い問題を解決するために、本発明に係る実施例は、情報取得方法、及び装置を提供する。前記技術案は以下のとおりである。
【０００７】
本発明に係る実施例の第１の態様によると、情報取得方法を提供する。
【０００８】
前記方法は、
動画中の画像要素、音声要素、或は、再生セグメントである、少なくとも一つの動画要素の関連情報を取得するステップと、
所定のタイミングに前記関連情報を表示するステップと
を含む。
【０００９】
一実施例において、前記動画中の少なくとも一つの動画要素の関連情報を取得するステップは、
予め設定されたタイミングに、サーバから前記動画の少なくとも一つの動画要素の関連情報をダウンロードして保存するステップ
を含み、
前記予め設定されたタイミングは、前記動画の再生前のタイミング、前記動画の再生中のタイミング、或は、アイドルタイミングを含む。
【００１０】
一実施例において、前記所定のタイミングは、
前記動画のエンドクレジットまで再生させた際のタイミング、或は、
前記動画の再生中に、一時停止の信号が受信された際のタイミングを含む。
【００１１】
一実施例において、前記動画中の少なくとも一つの動画要素の関連情報を取得するステップは、
前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出するステップ
を含む。
【００１２】
一実施例において、前記動画中の少なくとも一つの動画要素の関連情報を取得するステップは、
前記動画中のある再生位置まで再生させた際にユーザの情報取得命令が受信された場合、サーバに、前記再生位置に関連する動画要素の関連情報を取得するための情報取得要求を送信するステップと、
前記サーバからフィードバックされた、前記再生位置に関連する動画要素の関連情報を受信するステップと
を含む
一実施例において、前記サーバに情報取得要求を送信するステップは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記サーバに、前記動画の動画ＩＤと前記再生位置に対応する再生情報とが付加された前記情報取得要求を送信するステップと
を含む。
【００１３】
一実施例において、前記所定のタイミングは、
前記再生位置に関連する動画要素の関連情報が取得された後のタイミングを含む。
【００１４】
一実施例において、前記所定のタイミングに前記関連情報を表示するステップは、
前記端末が再生デバイスであって、且つ、前記再生デバイスに対応するリモコンに情報表示機能が有さない場合、予め設定された形式に従って、前記関連情報をダイレクトに表示するステップと、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信するステップと、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信するステップと、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信するステップと
を含み、
前記予め設定された形式には、分割表示の形式、リスト表示の形式、タグ付け表示の形式、スクロール表示の形式、弾幕表示の形式、及びポップアップ表示の形式の中の少なくとも一つが含まれる。
【００１５】
一実施例において、前記方法は、
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるステップ
をさらに含む。
【００１６】
本発明に係る実施例の第２の態様によると、サーバに利用される情報取得方法を提供する。前記方法は、
動画中の画像要素、音声要素、又は再生セグメントである、少なくとも一つの動画要素の関連情報を生成するステップと、
所定のタイミングに、前記関連情報を表示するための端末に、前記動画中の少なくとも一つの動画要素の関連情報を提供するステップ
とを含む。
【００１７】
一実施例において、前記動画中の少なくとも一つの動画要素の関連情報を前記端末に提供するステップは、
予め設定されたタイミングに、前記動画中の少なくとも一つの動画要素の関連情報のダウンロードを前記端末に提供するステップ
を含み、
前記予め設定されたタイミングは、前記端末の前記動画の再生前のタイミング、前記端末の動画の再生中のタイミング、或は、前記端末のアイドルタイミングを含む。
【００１８】
一実施例において、前記動画中の少なくとも一つの動画要素の関連情報を前記端末に提供するステップは、
前記端末により送信した情報取得要求が受信された後、前記動画中の一つの再生位置に関連する動画要素の関連情報を前記端末にフィードバックするステップを含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
【００１９】
一実施例において、前記動画中の少なくとも一つの動画要素の関連情報を生成するステップは、
前記動画中の少なくとも一つの動画要素を識別するステップと、
各々の動画要素の関連情報を取得するステップと
を含む。
【００２０】
一実施例において、前記動画中の少なくとも一つの動画要素を識別するステップは、
前記動画をデコードすることにより、画像フレームデータ、又は、画像フレームデータ及び音声フレームデータの両方が含まれた動画データである、少なくとも一つのフレームの動画データを取得するステップと、
画像フレームデータに対しては、画像識別技術に従って前記画像フレームデータ中の画像要素を識別するステップと、
音声フレームデータに対しては、音声識別技術に従って前記音声フレームデータ中の音声要素を識別するステップと
を含む。
【００２１】
一実施例において、前記動画中の少なくとも一つの動画要素を識別するステップは、
前記端末により送信した情報取得要求が受信された後、前記情報取得要求中に付加された一つの再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記再生情報に基づいて前記動画中の前記再生位置に対応する動画要素を取得するステップと
を含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
【００２２】
一実施例において、前記動画中の少なくとも一つの動画要素を識別するステップは、
他の端末により前記動画に対してアップロードした動画要素であって、前記他の端末のユーザにより標記した動画要素である、少なくとも一つの動画要素を受信するステップ
を含む
一実施例において、前記各々の動画要素の関連情報を取得するステップは、
各々の動画要素に対して、情報検索技術に従って前記動画要素に関連する少なくとも一つの情報を取得するステップと、
予め設定された条件に基づいて少なくとも一つの情報をソートして、ソート位置の先頭からのｎ（ｎは正の整数である）個の関連情報を抽出して前記動画要素の関連情報とするステップと
を含み、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む。
【００２３】
一実施例において、前記各々の動画要素の関連情報を取得するステップは、
他の端末により前記動画要素に対してアップロードした関連情報を受信するステップを含み、
前記他の端末は、他のユーザが使用する端末であるか、或は、前記動画要素のメーカー、又はプロバイダーが使用する端末である。
【００２４】
本発明に係る実施例の第３の態様によると、端末に利用される情報取得装置を提供する。前記装置は、
動画中の画像要素、音声要素、或は、再生セグメントである、少なくとも一つの動画要素の関連情報を取得するための情報取得モジュールと、
所定のタイミングに前記関連情報を表示するための情報表示モジュールとを備える。
【００２５】
一実施例において、前記情報取得モジュールは、予め設定されたタイミングに、サーバから前記動画の少なくとも一つの動画要素の関連情報をダウンロードして保存する。
【００２６】
前記予め設定されたタイミングは、前記動画の再生前のタイミング、前記動画の再生中のタイミング、或は、アイドルタイミングを含む。
【００２７】
一実施例において、前記所定のタイミングは、
前記動画のエンドクレジットまで再生させた際のタイミング、或は、
前記動画の再生中に、一時停止の信号が受信された際のタイミングを含む。
【００２８】
一実施例において、前記情報取得モジュールは、前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出する。
【００２９】
一実施例において、前記情報取得モジュールは、
前記動画中のある再生位置まで再生させた際にユーザの情報取得命令が受信された場合、サーバに、前記再生位置に関連する動画要素の関連情報を取得するための情報取得要求を送信するための要求送信ユニットと、
前記サーバからフィードバックされた、前記再生位置に関連する動画要素の関連情報を受信するための情報受信ユニットと
を備える。
【００３０】
一実施例において、前記要求送信ユニットは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するための情報取得サブユニットと、
前記サーバに、前記動画の動画ＩＤと前記再生位置に対応する再生情報とが付加された前記情報取得要求を送信するための要求送信サブユニットとを備える。
【００３１】
一実施例において、前記所定のタイミングは、
前記再生位置に関連する動画要素の関連情報が取得された後のタイミングを含む。
【００３２】
一実施例において、前記情報表示モジュールは、
前記端末が再生デバイスであって、且つ、前記再生デバイスに対応するリモコンに情報表示機能が有さない場合、予め設定された形式に従って、前記関連情報をダイレクトに表示するステップと、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信するステップと、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信するステップと、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信するステップと
を含み、
前記予め設定された形式には、分割表示の形式、リスト表示の形式、タグ付け表示の形式、スクロール表示の形式、弾幕表示の形式、及びポップアップ表示の形式の中の少なくとも一つが含まれる。
【００３３】
一実施例において、前記装置は、
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるための情報ジャンプモジュール
を、さらに備える。
【００３４】
本発明に係る実施例の第４の態様によると、サーバに利用される情報取得装置を提供する。前記装置は、
動画中の画像要素、音声要素、又は再生セグメントである、少なくとも一つの動画要素の関連情報を生成するための情報生成モジュールと、
所定のタイミングに、前記関連情報を表示するための端末に、前記動画中の少なくとも一つの動画要素の関連情報を提供するための情報提供モジュールと
を備える。
【００３５】
一実施例において、前記情報提供モジュールは、
予め設定されたタイミングに、前記動画中の少なくとも一つの動画要素の関連情報のダウンロードを前記端末に提供し、
前記予め設定されたタイミングは、前記端末の前記動画の再生前のタイミング、前記端末の動画の再生中のタイミング、或は、前記端末のアイドルタイミングを含む。
【００３６】
一実施例において、前記情報提供モジュールは、前記端末により送信した情報取得要求が受信された後、前記動画中の一つの再生位置に関連する動画要素の関連情報を前記端末にフィードバックし、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
【００３７】
一実施例において、前記情報提供モジュールは、
前記動画中の少なくとも一つの動画要素を識別するための要素識別ユニットと、
各々の動画要素の関連情報を取得するための情報取得ユニットと
を備える。
【００３８】
一実施例において、前記要素識別ユニットは、
前記動画をデコードすることにより、画像フレームデータ、又は、画像フレームデータ及び音声フレームデータの両方が含まれた動画データである、少なくとも一つのフレームの動画データを取得するための動画データ取得サブユニットと、
画像フレームデータに対しては、画像識別技術に従って前記画像フレームデータ中の画像要素を識別するための第１識別サブユニットと、
音声フレームデータに対しては、音声識別技術に従って前記音声フレームデータ中の音声要素を識別するための第２識別サブユニットと
を備える。
【００３９】
一実施例において、前記要素識別ユニットは、
前記端末により送信した情報取得要求が受信された後、前記情報取得要求中に付加された一つの再生位置に対応する再生情報を取得するための再生情報取得サブユニットと、
前記再生情報に基づいて前記動画中の前記再生位置に対応する動画要素を取得するための要素取得サブユニットと
を備え、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
【００４０】
一実施例において、前記要素識別ユニットは、他の端末により前記動画に対してアップロードした動画要素であって、前記他の端末のユーザにより標記した動画要素である、少なくとも一つの動画要素を受信する。
【００４１】
一実施例において、前記情報取得ユニットは、
各々の動画要素に対して、情報検索技術に従って前記動画要素に関連する少なくとも一つの情報を取得するための情報取得サブユニットと、
予め設定された条件に基づいて少なくとも一つの情報をソートして、ソート位置の先頭からのｎ（ｎは正の整数である）個の関連情報を抽出して前記動画要素の関連情報とするための情報ソートサブユニットと
を備え、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む。
【００４２】
一実施例において、前記情報取得ユニットは、他の端末により前記動画要素に対してアップロードした関連情報を受信し、前記他の端末は、他のユーザが使用する端末であるか、或は、前記動画要素のメーカー、又はプロバイダーが使用する端末である。
【００４３】
本発明に係る実施例の第５の態様によると、端末に利用される情報取得装置を提供する。前記装置は、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示する
ように構成される。
【００４４】
本発明に係る実施例の第６の態様によると、サーバに利用される情報取得装置を提供する。前記装置は、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示する
ように構成される。
【００４５】
本発明の実施例が提供する技術方案の有益な効果は以下のとおりである。
【００４６】
動画中の動画要素の関連情報を取得して、所定のタイミングに取得した関連情報を表示することにより、情報を取得する効率が悪い問題を解決して、端末は所定のタイミングに動画要素の関連情報を表示できて、情報を取得する効率を上昇させる効果に達した。
【００４７】
以上の統括な記述と以下の細部記述は、ただ例示的なものであり、本発明を制限するものではないと、理解するべきである。
【図面の簡単な説明】
【００４８】
ここでの図面は、明細書中に合併されて本明細書の一部を構成するためのものである、本発明に合致する実施例を示すためのものであり、明細書と一緒に本発明の原理を解析する。
【図１Ａ】例示的な一実施例に係る一実施環境の構成を示す模式図である。
【図１Ｂ】例示的な一実施例に係るもう一実施環境の構成を示す模式図である。
【図２】例示的な一実施例に係る動画要素と関連情報を示す模式図である。
【図３】例示的な一実施例に係る情報取得方法を示すフローチャートである。
【図４】例示的なもう一実施例に係る情報取得方法を示すフローチャートである。
【図５】例示的なさらにもう一実施例に係る情報取得方法を示すフローチャートである。
【図６】例示的なさらにもう一実施例に係るサーバの関連情報を提供する一方法を示すフローチャートである。
【図７】例示的なさらにもう一実施例に係るサーバの関連情報を提供するもう一方法を示すフローチャートである。
【図８】例示的なさらにもう一実施例に係る情報取得方法を示すフローチャートである。
【図９Ａ】例示的なさらにもう一実施例に係る端末の関連情報を表示する一方法を示す模式図である。
【図９Ｂ】例示的なさらにもう一実施例に係る端末の関連情報を表示するもう一方法を示す模式図である。
【図９Ｃ】例示的なさらにもう一実施例に係る端末の関連情報を表示するさらにもう一方法を示す模式図である。
【図９Ｄ】例示的なさらにもう一実施例に係る端末の関連情報を表示するさらにもう一方法を示す模式図である。
【図９Ｅ】例示的なさらにもう一実施例に係る端末の関連情報を表示するさらにもう一方法を示す模式図である。
【図９Ｆ】例示的なさらにもう一実施例に係る端末の関連情報を表示するさらにもう一方法を示す模式図である。
【図９Ｇ】例示的なさらにもう一実施例に係る端末の関連情報を表示するさらにもう一方法を示す模式図である。
【図１０】例示的な一実施例に係る情報取得装置を示すブロック図である。
【図１１】例示的なもう一実施例に係る情報取得装置を示すブロック図である。
【図１２】例示的な一実施例に係る情報取得装置を示すブロック図である。
【図１３Ａ】例示的なもう一実施例に係る情報取得装置を示すブロック図である。
【図１３Ｂ】例示的な一実施例に係る一要素識別ユニットを示すブロック図である。
【図１３Ｃ】例示的な一実施例に係るもう一要素識別ユニットを示すブロック図である。
【図１３Ｄ】例示的な一実施例に係る情報取得ユニットを示すブロック図である。
【図１４】例示的な一実施例に係る情報を取得するための装置を示すブロック図である。
【図１５】例示的な一実施例に係る情報を取得するための装置を示すブロック図である。
【発明を実施するための形態】
【００４９】
上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【００５０】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００５１】
図１Ａと図１Ｂを参照すると、本発明の係る各実施例によって提供する情報取得方法に関する実施環境の構成の模式図を示されている。当該実施環境は、端末１１０、及び、有線、或は、無線のネットワークを介して端末と接続されるサーバ１２０を含んでもよい。
【００５２】
図１Ａに示されたように、端末１１０は、例えば、テレビ、タブレットＰＣ、デスクトップＰＣ、或は、携帯電話のような、再生機能を有する再生デバイスであってもよい。再生デバイスは、遠隔制御デバイスに制御されて、ダイレクトで、サーバ１２０からビデオリソースを取得して、取得されたビデオリソースを再生させることができる。ここで、遠隔制御デバイスは、赤外線、ブルートゥース、或は、無線ＬＡＮを介して、テレビと接続されてもよい。遠隔制御デバイスは、図１Ａの（ａ）に示されたリモコン１３０であってもよいし、図１Ａの（ｂ）に示されたインテリジェントターミナル１４０であってもよい。
【００５３】
図１Ｂに示されたように、端末１１０は、再生デバイスに接続されたメディアソースデバイスであってもよい。メディアソースデバイスは、ＨＤボックス、ブルーレイプレーヤー、家庭用ＮＡＳ(Ｎｅｔｗｏｒｋ Ａｔｔａｃｈｅｄ Ｓｔｏｒａｇｅ、ネットワーク接続ストレージ)デバイス、等であってもよい。ここで、再生デバイスは、例えば、テレビ、タブレットＰＣ、デスクトップＰＣ、或は、携帯電話のような再生機能を有するデバイスであってもよい。再生デバイスは、自身に接続されているメディアソースデバイスを介して、サーバ１２０からビデオリソースを取得できる。メディアソースデバイスは、サーバ１２０からビデオリソースを取得して、取得されたビデオリソースを再生デバイスを用いて再生できる。同時に、ユーザは、遠隔制御デバイスを用いて、メディアソースデバイスを制御してもよい。遠隔制御デバイスは、赤外線、ブルートゥース、或は、無線ＬＡＮを介してテレビと接続されている。遠隔制御デバイスは、図１Ｂの（ａ）に示されたリモコン１５０であってもよいし、図１Ｂの（ｂ）に示されたインテリジェントターミナル１６０であってもよい。
【００５４】
なお、サーバ１２０は、有線ネットワーク、或は、無線ネットワークを介して端末１１０と接続されてもよい。サーバ１２０は、一つのサーバ、或は、複数のサーバから構成されたサーバークラスタ、或は、一つのクラウドコンピューティング・サービスセンターであってもよい。
【００５５】
図１Ａと図１Ｂは、ただ、実施環境に上記の各々のデバイスが含まれた例であり、実際に実現する際には、ある適用ケースにおいて、実施環境には、上記の一部のデバイス、或は、さらに他のデバイスを含まれてもよいし、本実施例ではこれに対して制限しないことを、説明する必要がある。
【００５６】
また、理解の便利をために、まず、各々の実施例において言及される基本的な概念を説明する。
【００５７】
動画要素とは、動画中の一つの画像要素、音声要素、或は、再生セグメントである。ここで、画像要素は、一つの画像フレームデータの中の、人、或は、物のような要素である。音声要素は、一つの音声フレームデータ、或は、複数の連続的な音声フレームデータのような、一セグメントの音声である。再生セグメントは、一つの再生時点に対応される一つの画像フレームデータであるか、或は、一つの再生時間帯に対応される複数の連続的な画像フレームデータである。
【００５８】
動画要素の関連情報とは、動画要素に関連する情報である。
【００５９】
例えば、動画要素がスターである場合、関連情報は、当該スターのプロフィール、出演した作品リスト、当該スターの最近のマイクロブロギングのダイナミック、当該スターの最新報道、等であってもよい。
【００６０】
例えば、動画要素がアパレルである場合、関連情報は、Ｅ-ショッピングサイト中の当該アパレルの販売リンク、当該アパレルを販売する店舗の住所、当該アパレルの布地の簡単な紹介、当該アパレルの装飾品商品のお勧め、等であってもよい。
【００６１】
例えば、動画要素が美食である場合、関連情報は、Ｅ-ショッピングサイト中の当該美食の販売リンク、ユーザが位置する都市の当該美食を販売するグルメショップの住所、当該美食の作り方法、等であってもよい。
【００６２】
例えば、動画要素がバックグラウンドミュージックである場合、関連情報は、当該バックグラウンドミュージックに対応するＭＶ（Ｍｕｓｉｃ Ｖｉｄｅｏ、ミュージックビデオ）、当該バックグラウンドミュージックの歌詞、当該バックグラウンドミュージックのシンガー、当該バックグラウンドミュージックのクリエイティブ背景、等であってもよい。
【００６３】
例えば、当動画要素が観光名所である場合、関連情報は、当該観光名所の簡単な紹介、当該観光名所の旅行サービスを提供する店舗のリンク、当該観光名所の美食、当該観光名所と同じ種類の他の観光名所、等であってもよい。
【００６４】
例えば、当動画要素が一つの再生セグメントである場合、関連情報は、当該再生セグメントの中の各画像フレームデータ、音声フレームデータ、両方の組合せの中の画像要素、或は、画像要素と音声要素の組合せであってもよい。
【００６５】
図２を参照すると、一セグメントの動画中の各々の動画要素２１、及び動画要素２１の関連情報２２が示されている。図２から分かるように、動画要素は、画像フレームデータ中の画像要素、音声フレームデータ中の音声要素、図２中の影付きのような画像フレームデータ中の全部の要素であってもよいし、ｍ個のフレーム画像フレームデータ、、ｍ個のフレーム音声フレームデータであってもよいし、本実施例ではこれに対して制限しない。ここで、ｍは２以上の整数である。
【００６６】
図３は、例示的な一実施例に係る情報取得方法を示すフローチャートである。当該情報取得方法を図１Ａ、或は、図１Ｂに示された端末１１０に適用する例を挙げて、本実施例を説明する。当該情報取得方法は、以下のステップを含んでもよい。
【００６７】
ステップ３０１において、動画中の画像要素、音声要素、或は、再生セグメントである、少なくとも一つの動画要素の関連情報を取得する。
【００６８】
ステップ３０２において、所定のタイミングに関連情報を表示する。
【００６９】
上記のように、本実施例提供の情報取得方法、動画中の動画要素の関連情報を取得して、所定のタイミングに取得した関連情報を表示することにより、関連技術中の情報を取得する効率が悪い問題を解決して、端末は所定のタイミングに動画要素の関連情報を表示できて、情報を取得する効率を上昇させる効果に達した。
【００７０】
端末により少なくとも一つの動画要素の関連情報を取得する方法は、予め設定されたタイミングにサーバから動画要素の関連情報をダウンロードする方法、ユーザの情報取得命令が受信された際に、予めダウンロードした少なくとも一つの動画要素の関連情報の中から情報取得命令が受信された際の動画の再生位置に関連する動画要素の関連情報を検出する方法、ユーザの情報取得命令が受信された際に、サーバに情報取得要求を送信して、サーバから返送する情報取得命令が受信された際の動画の再生位置に関連する動画要素の関連情報を受信する方法の中の少なくとも一つの方法を含む。それで、以下、いくつかの実施例において、上記の三つの方法の場合を詳細に説明する。
【００７１】
図４は、例示的な一実施例に係る情報取得方法を示すフローチャートである。当該情報取得方法を図１Ａ、或は、図１Ｂに示された端末１１０に利用し、且つ、端末１１０により予め設定されたタイミングにサーバから動画要素の関連情報をダウンロードする例を挙げて、本実施例を説明する。当該情報取得方法は、以下のステップを含んでもよい。
【００７２】
ステップ４０１において、端末により予め設定されたタイミングにサーバから動画の少なくとも一つの動画要素の関連情報をダウンロードして保存する。
【００７３】
端末は、予め設定されたタイミングに、サーバに、当該サーバからの少なくとも一つの動画要素の関連情報をダウンロードし、及び保存を要求してもよい。実際に実現する時に、端末は、予め設定されたタイミングに、当該動画の少なくとも一つの動画要素の関連情報の情報の取得を要求するための取得要求を、サーバに送信してもよい。ここで、予め設定されたタイミングは、動画の再生前のタイミング、動画の再生中のタイミング、或は、アイドルタイミングを含む。
【００７４】
ステップ４０２において、端末により、動画のエンドクレジットまで再生させた際のタイミング、或は、動画の再生中に、一時停止の信号が受信された際のタイミングに関連情報を表示する。
【００７５】
端末は、少なくとも一つの動画要素の関連情報が取得された後に、動画のエンドクレジットまで再生させた際のタイミング、或は、動画の再生中に一時停止の信号が受信された際のタイミングに、関連情報を表示させてもよい。
【００７６】
端末は、エンドクレジットタイミングに関連情報を表示する際には、当該動画の再生を完了した後に、当該動画中の少なくとも一つの動画要素の関連情報を表示させてもよい。このようにして、ユーザは動画中の全部の動画要素の関連情報を取得できるし、ユーザの操作も便利にすることができる。
【００７７】
端末は、動画を再生させる過程に一時停止の信号が受信された際に関連情報を表示する場合、一時停止の信号を受信した後に、動画の再生を一時停止させて、取得された動画中の少なくとも一つの動画要素の関連情報を表示させてもよい。
【００７８】
実際に実現する時に、端末は、さらに、ある一再生時点まで再生させた際に、関連情報を表示させてもよく、本実施例ではこれに対して制限しない。
【００７９】
上記のように、本実施例提供の情報取得方法、動画中の動画要素の関連情報を取得して、所定のタイミングに取得した関連情報を表示することにより、関連技術中の情報を取得する効率が悪い問題を解決して、端末は所定のタイミングに動画要素の関連情報を表示できて、情報を取得する効率を上昇させる効果に達した。
【００８０】
本実施例によると、予め設定されたタイミングにサーバから少なくとも一つの動画要素の関連情報をダウンロードすることにより、端末により関連情報を表示させる際の端末とサーバとのインタラクティの複雑度を低下させて、端末の関連情報を表示する表示効率を上昇させた。
【００８１】
図５は、例示的な一実施例に係る情報取得方法を示すフローチャートである。当該情報取得方法を図１Ａ、或は、図１Ｂに示された端末１１０に利用し、且つ、端末１１０によりユーザの情報取得命令が受信された際に、予めダウンロードした少なくとも一つの動画要素の関連情報の中から、情報取得命令が受信された際の動画の再生位置に関連する動画要素の関連情報を検出する例を挙げて、本実施例を説明する。当該情報取得方法は、以下のステップを含んでもよい。
【００８２】
ステップ５０１において、端末は、ユーザの情報取得命令を受信し、予めダウンロードした動画の少なくとも一つの動画要素の関連情報の中から、再生位置に関連する動画要素の関連情報を検出する。
【００８３】
ユーザは、端末により動画を再生させる過程において、当前再生位置における動画要素の関連情報を取得しようとする際に、端末における予め設置されたボタン、或は、リモコンを用いて、情報取得命令を端末に送信できる。従って、端末は、ユーザの情報取得命令を受信できる。ここで、ユーザは、リモコンにおける予め設置されたボタンを押下する方法によって、情報取得命令を送信してもよい。当然ながら、ユーザは、さらに、「０」と「確認」の二つのボタンを同時に押下する方法によって、情報取得命令を送信してもよく、本実施例ではこれに対して制限しない。
【００８４】
端末は、情報取得命令が受信された際に、予めダウンロードした動画の少なくとも一つの動画要素の関連情報の中から、再生位置に関連する動画要素の関連情報を検出する。実際に実現する時に、端末は、関連情報の中から、端末により情報取得命令が受信された際の再生位置に対応する再生位置の関連情報を検出できる。
【００８５】
ステップ５０２において、端末により、再生位置に関連する動画要素の関連情報が取得された後のタイミングに、関連情報を表示する。
【００８６】
端末は、再生位置に関連する動画要素の関連情報が取得された後に、関連情報を表示させてもよい。また、実際に実現する時に、ユーザは情報取得命令を送信する際に関連情報を取得したい場合もあるから、端末は、関連情報が取得された後に、すぐに取得された関連情報を表示させてもよく、本実施例ではこれに対して制限しない。
【００８７】
上記のように、本実施例提供の情報取得方法、動画中の動画要素の関連情報を取得して、所定のタイミングに取得した関連情報を表示することにより、関連技術中の情報を取得する効率が悪い問題を解決して、端末は所定のタイミングに動画要素の関連情報を表示できて、情報を取得する効率を上昇させる効果に達した。
【００８８】
本実施例によると、ユーザの情報取得命令が受信された際に、予めダウンロードした少なくとも一つの動画要素の関連情報の中から、情報取得命令が受信された際の動画の再生位置に関連する動画要素の関連情報を検出することにより、端末によりユーザの取得要求の関連情報をより速く取得できるし、端末の関連情報の表示効率を上昇させて、情報の取得効率を上昇させた。
【００８９】
上記の二つの実施例において、サーバは、端末により動画要素の関連情報を取得する前に、少なくとも一つの動画要素の関連情報を生成して、端末に生成した少なくとも一つの動画要素の関連情報を提供する必要があることを、説明する必要がある。図６を参照すると、サーバは、以下のステップを実行してもよい。
【００９０】
ステップ６０１において、動画中の画像要素、音声要素、又は、一つの再生セグメントである、少なくとも一つの動画要素の関連情報を生成する。
【００９１】
サーバには再生デバイスに再生させるための動画が保存されており、また、サーバは、続くステップを実行するために、各々の動画中の少なくとも一つの動画要素の関連情報を生成してもよい。ここで、各々の動画要素は、動画中の一つの画像要素、一つの音声要素、或は、一つの再生セグメントである。
【００９２】
ステップ６０２において、所定のタイミングに関連情報を表示させるための端末に、動画中の少なくとも一つの動画要素の関連情報を提供する。
【００９３】
図７は、例示的なさらにもう一実施例に係るサーバの関連情報を提供するもう一方法を示すフローチャートである。図７に示されたように、サーバは、以下のステップを実行する。
【００９４】
ステップ７０１において、動画中の少なくとも一つの動画要素を識別する。
【００９５】
実際に実現する時に、本ステップは、以下の二つの実施可能な実施形態を含んでもよい。
【００９６】
第１の実施可能な実施形態において、本ステップは、以下のステップを含んでもよい。
【００９７】
１、動画をデコードすることにより、少なくとも一フレームの動画データを取得する。
【００９８】
サーバは、動画をデコードすることにより、さらに、動画中の少なくとも一フレームの動画データを取得できる。ここで、動画中のある再生位置には音声が配置されているがもうある再生位置には音声は配置されていないため、音声が配置されている再生位置においては、サーバは、デコードすることにより画像フレームデータと音声フレームデータを同時に取得し、音声が配置されていない再生位置においては、画像フレームデータしかデコードできない。
【００９９】
２、画像フレームデータに対しては、画像識別技術に従って画像フレームデータ中の画像要素を識別する。
【０１００】
サーバは、デコードして取得した画像フレームデータに対して、画像識別技術に従って画像フレームデータ中の画像要素を識別してもよい。実際に実現する時に、サーバは、デコードして取得した画像フレームデータを、画像データベースの中の各々の画像にマッチングさせ、画像フレームデータの中に画像データベース中の画像にマッチングされる要素が存在すると、マッチングさせて取得した画像要素を画像フレームデータ中の画像要素とする。ここで、画像データベースは、予め設置された、各々の画像が含めたデータベースであり、画像は、目標物体を含む画像である。例えば、画像は、人物、風景、生活の用品、アパレル、タグ、登録商標、ブランド、キーワードの画像、等であり、本実施例ではこれに対して制限しない。
【０１０１】
例えば、画像データベースの中に「人物Ａ」の画像、及び「人物Ａ」が推薦するＸＸブランドの２０１４年の冬の新型のアパレルの画像が存在し、また、サーバが取得した画像フレームデータの中にも「人物Ａ」の画像と当該ブランドの冬の新型のアパレル中のある型の上着の画像が含まれていると、サーバは、「人物Ａ」の画像、及び当該型の上着の画像を画像フレームデータの中の画像要素とする。
【０１０２】
３、音声フレームデータに対して、音声識別技術に従って音声フレームデータ中の音声要素を識別する。
【０１０３】
サーバは、音声フレームデータに対しては、音声識別技術に従って音声フレームデータ中の音声要素を識別する。実際に実現する時に、サーバは、音声フレームデータを歌詞のデータベースにマッチングさせて、音声フレームデータの中の音声要素を取得できる。また、音声要素をもっとも正しく識別するために、サーバは、音声フレームデータ、当該音声フレームデータの前の予め設定された長さの音声フレームデータ、及び当該音声フレームデータの後の予め設定された長さの音声フレームデータ、或は、当該音声フレームデータの前の予め設定された長さの音声フレームデータ、及び当該音声フレームデータの後の予め設定された長さの音声フレームデータの組合せて得る複数のフレーム音声フレームデータを、同時に、歌詞のデータベースにマッチングさせてもよく、本実施例ではこれに対して制限しない。ここで、歌詞のデータベースには、予め設置された、各々のオーディオのデータベースが含まれており、本実施例ではこれに対して制限しない。
【０１０４】
サーバによりデコードして取得した少なくとも一フレームの動画データに対して、サーバは、一フレームの動画データ毎に、各フレームの動画データの中の画像要素、或は、音声要素を識別してもよい。当然ながら、サーバは、二つのフレーム、或は、二つのフレーム以上の動画データ毎に、例えば、動画の中の第１０分から第１１分の間の各々の動画データを一つの再生セグメントとして、再生セグメントの動画データの中から識別して得られた画像要素、或は、音声要素を動画要素にしてもよい、本実施例ではこれに対して制限しない。
【０１０５】
サーバによりデコードして取得した一部の動画データに対して、サーバは、動画フレームデータの中から画像要素、或は、音声要素を識別できないし、もう一部の動画データの中のみから画像要素、或は、音声要素を識別できる場合もあることを、説明する必要がある。本実施例ではこれに対して制限しない。
【０１０６】
第２の実施可能な実施形態において、本ステップは、以下のステップを含んでもよい。
【０１０７】
ユーザにより動画中の各々の動画要素を標記するため、サーバにより動画中の少なくとも一つの動画要素を識別するステップは、他の端末により動画に対してアップロードした動画要素であって、他の端末のユーザにより標記した動画要素である、少なくとも一つの動画要素を、ダイレクトで受信する。
【０１０８】
ステップ７０２において、各々の動画要素の関連情報を取得する。
【０１０９】
サーバは、少なくとも一つの動画要素が取得された後、各々の動画要素の関連情報を取得してもよい。ここで、サーバの動画要素の関連情報の取得方法には、以下の二つの実施可能な実施形態を含んでもよい。
【０１１０】
第１の実施可能な実施形態において、本ステップは、以下のステップを含んでもよい。
【０１１１】
１、各々の動画要素に対して、情報検索技術に従って動画要素に関連する少なくとも一つの情報を取得する。
【０１１２】
サーバにより識別して取得した各々の動画要素に対して、サーバは、情報検索技術に従って動画要素に関連する少なくとも一つの情報を取得してもよい。例えば、サーバが取得した動画要素が「人物Ａ」の画像である場合、サーバは、ネットワークサーバの中から「人物Ａ」の画像に関連する情報を検索してもよい。
【０１１３】
２、予め設定された条件に基づいて少なくとも一つの情報をソートして、ソート位置の先頭からのｎ（ｎは正の整数である）個の関連情報を抽出して、動画要素の関連情報とする。
【０１１４】
サーバは、予め設定された条件に基づいて、取得された少なくとも一つの情報をソートしてもよい。ここで、予め設定された条件は、動画要素との関連性、ユーザの地理的の位置との関連性、ユーザの利用履歴との関連性、及び動画要素のメーカー、又はプロバイダーの競争力ランキングの中の少なくとも一つを含む。
【０１１５】
動画要素との関連性とは、検索された情報動画要素との関連性を意味する。例えば、動画要素が「人物Ａ」の画像であり、検索された情報がそれぞれ「人物Ａと人物Ｂ」、「人物Ａの最新報道」、「人物Ａのスタイル」、「人物Ａの装飾品宝典」、等であるとすると、検索された情報動画要素との関連性の高い方から低い方への順番は、「人物Ａのスタイル」、「人物Ａの装飾品宝典」、「人物Ａの最新報道」、「‘人物Ａと人物Ｂのいろんな事」の順番である。
【０１１６】
ユーザの地理的の位置との関連性とは、検索された情報とユーザの地理的の位置との間の距離の遠さを意味する。ここで、ユーザの地理的の位置は、ユーザにより端末を用いてサーバ中の動画の再生を要求する際に、サーバに報告する地理的な位置である。例えば、ユーザにより報告した地理的な位置が無錫市中山路５号であるとする。
【０１１７】
例えば、動画要素が「ＸＸブランドのある型の上着」の画像であり、検索された情報が「無錫市ＸＸ寺８号のＸＸ専売店」、「無錫市中山路７号のＸＸ特恵店」、及び「無錫市長江路１０号のショッピングプラザ」であるとすると、検索された情報とユーザの地理的の位置との関連性の高い方から低い方への順番は、「無錫市中山路７号のＸＸ特恵店」、「無錫市ＸＸ寺８号のＸＸ専売店」、「無錫市長江路１０号のショッピングプラザ」の順番である。
【０１１８】
ユーザの利用履歴との関連性との、検索された情報とユーザのトリガ利用の履歴の関連情報の間の関連性を意味する。例えば、ユーザがアパレルと美食とに関心があり、ユーザにより検索した情報がそれぞれ自動車、観光名所、美食、及びアパレルに対応する情報であるとすると、サーバは、検索された情報とユーザの利用履歴との関連性の高い方から低い方への順番を、アパレル、美食、観光名所、自動車の順番に特定できる。
【０１１９】
動画要素のメーカー、又はプロバイダーの競争力ランキングに対しては、サーバにはメーカー、或は、プロバイダーに対して予め設定した一つのランキングが存在するため、サーバは各々の情報に対応するメーカー、或は、プロバイダーの競争力ランキングに従って検索された情報をソートする。
【０１２０】
サーバにより取得された情報をソートした後、サーバは、ソート後の各々の情報の中から先頭からのｎ個の情報を抽出して、動画要素の関連情報とする。例えば、サーバは、力ランキング順の先頭からの１０番目の情報を選択して、動画要素の関連情報とする。当然ながら、実際に実現する時に、サーバは、さらに、ソート後の全部の情報のを動画要素の関連情報としてもよいし、本実施例ではこれに対して制限しない。
【０１２１】
第２の実施可能な実施形態において、本ステップは、以下のステップを含んでもよい。
【０１２２】
ユーザにより各々の動画要素に対して関連情報をアップロードできるため、サーバは他の端末により動画要素のためにアップロードした関連情報を受信できる。ここで、他の端末は、他のユーザが使用する端末であるか、或は、動画要素のメーカー、又はプロバイダーが使用する端末である。他の端末によりアップロードした関連情報は、一定のソート方法に従ってソートした後の情報であってもよく、本実施例ではこれに対して制限しない。
【０１２３】
動画要素のメーカー、或は、プロバイダーは、動画中のある一再生セグメント中の動画要素の関連情報を独占してもよいことを説明する必要がある。例えば、動画の第１０分から第１１分の間に、動画中の主演男優は翌日の発表会のためにアパレルを選択しているとすると、動画要素である「ＸＸブランドのある型の上着」のメーカーは、動画中の第１０分から第１１分までの動画要素の関連情報を独占してもよい。この時、サーバは第１０分から第１１分までの動画フレームデータかた他の動画要素も識別できるが、サーバは、「ＸＸブランドのある型の上着」のメーカーにより設定した情報を、動画中の第１０分から第１１分までの動画要素の関連情報とする。
【０１２４】
サーバにより識別して取得した動画要素が動画中の異なる複数の位置のところに対応する動画要素である場合には、サーバは、各々の動画要素の関連情報を取得した後に、当該関連情報に対応する再生位置を特定して、特定された再生位置を関連情報の一つのプロパティ情報にしてもよいことを、さらに説明する必要がある。本実施例ではこれに対して制限しない。
【０１２５】
ステップ７０３において、サーバは、端末により動画の再生前のタイミング、端末の動画の再生している期間内のタイミング、或は、端末のアイドルタイミングに、端末に動画中の少なくとも一つの動画要素の関連情報のダウンロードを提供する。
【０１２６】
実際に実現する時に、サーバは、自発的に、端末に動画中の少なくとも一つの動画要素の関連情報をプッシュしてもよいし、端末により送信した情報取得要求が受信された後、端末に関連情報のダウンロードを提供してもよい。
【０１２７】
サーバが自発的に関連情報をプッシュする例を挙げると、サーバは、動画中の少なくとも一つの動画要素の関連情報を生成した後に、関連情報を端末にダイレクトで送信してもよいし、即ち、サーバは端末が動画の再生前のタイミングに端末に関連情報のダウンロードを提供してもよいし、端末が動画を再生させる再生過程に端末に関連情報を送信してもよいし、夜間１２点のような端末のアイドルタイミングに、端末に関連情報をプッシュしてもよいし、本実施例ではこれに対して制限しない。
【０１２８】
上記のように、本実施例によって提供する情報取得方法によると、少なくとも一つの動画要素の関連情報を生成し、端末に少なくとも一つの動画要素の関連情報を提供して、端末が関連情報を取得した後に、所定のタイミングに関連情報を表示することにより、関連技術中の情報を取得する効率が悪い問題を解決して、端末は所定のタイミングに動画要素の関連情報を表示できて、情報を取得する効率を上昇させる効果に達した。
【０１２９】
上記の実施例は、サーバが少なくとも一つの動画要素の関連情報を予め生成する例であるが、下記の実施例においては、サーバが端末の情報取得要求に基づいて動画要素の関連情報をリアルタイムに生成する例を説明する。
【０１３０】
図８は、例示的な一実施例に係る情報取得方法を示すフローチャートである。当該情報取得方法を図１Ａ、或は、図１Ｂに示された端末１１０に利用し、且つ、端末１１０は、ユーザの情報取得命令が受信された際に、サーバに情報取得要求を送信し、サーバは、要求された再生関連情報を生成した後に端末に生成した関連情報をフィードバックし、端末は、サーバからフィードバックされた、情報取得命令が受信された際の再生位置に関連する動画要素の関連情報を受信する例を挙げて、本実施例を説明する。当該情報取得方法は、以下のステップを含んでもよい。
【０１３１】
ステップ８０１において、端末は、ユーザの情報取得命令を受信する。
【０１３２】
端末により動画を再生させる過程において、ユーザは、当前再生位置における動画要素の関連情報を取得しようとすると、端末における予め設置されたボタン、或は、リモコンを用いて、情報取得命令を端末に送信する。従って、端末は、ユーザの情報取得命令を受信することになる。ここで、ユーザは、リモコンにおける予め設置されたボタンを押下する方法にとって情報取得命令を送信することができる。当然ながら、ユーザは、さらに、「０」と「確認」の二つのボタンを同時に押下する方法によって、情報取得命令を送信してもよく、本実施例ではこれに対して制限しない。
【０１３３】
ステップ８０２において、端末サーバに情報取得要求を送信する。
【０１３４】
端末は、情報取得命令が受信された際に、情報取得要求をサーバに送信してもよい。ここで、情報取得要求は、再生位置に関連する動画要素の関連情報を取得するための要求である。
【０１３５】
実際に実現する時に、端末が情報取得要求をサーバに送信するステップは以下のステップを含んでもよい。
【０１３６】
第１、再生位置に対応する再生情報を取得する。
【０１３７】
端末は、情報取得命令が受信された際の動画の再生位置に対応する再生情報を取得してもよい。ここで、再生情報は、再生位置における画像フレームデータ、再生位置における音声フレームデータ、及び再生位置に対応される再生タイムラインにおける再生時点の中の少なくとも一つを含む。例えば、端末が取得された再生位置に対応する再生情報は「１５:１４」である。
【０１３８】
第２、サーバに、動画の動画ＩＤと再生位置に対応する再生情報とが付加された情報取得要求を送信する。
【０１３９】
端末は、再生位置に対応する再生情報が取得された後に、サーバに、動画の動画ＩＤと再生位置に対応する再生情報とが付加された情報取得要求を送信してもよい。ここで、動画の動画ＩＤは、動画の名称、或は、サーバにより動画に割り当てたＩＤ（ｉｄｅｎｔｉｆｉｃａｔｉｏｎ、身分ＩＤ）であってもよく、本実施例ではこれに対して制限しない。
【０１４０】
ステップ８０３において、サーバは、端末により送信した情報取得要求を受信する。
【０１４１】
ステップ８０４において、サーバは、動画中の画像要素、音声要素、或は、再生セグメントの関連情報であって、動画中の再生位置に関連する動画要素の関連情報である、少なくとも一つの動画要素を生成する。
【０１４２】
情報取得要求が受信された後に、サーバは、情報取得要求の中の動画ＩＤ、及び再生位置に対応する再生情報を読み込んで、動画ＩＤが示す動画中の再生情報に対応する再生位置に関連する少なくとも一つの動画要素の関連情報を生成する。ここで、サーバが動画中の再生位置に関連する少なくとも一つの動画要素の関連情報を生成するステップは、以下のステップを含んでもよい。
【０１４３】
第１、動画中の少なくとも一つの動画要素を識別する。
【０１４４】
実際に実現する時に、本ステップは、以下のステップを含んでもよい。
【０１４５】
１、サーバは、端末により送信した情報取得要求が受信された後、情報取得要求中に付加された一つの再生位置に対応する再生情報を取得する。再生情報は、再生位置における画像フレームデータ、再生位置における音声フレームデータ、及び再生位置に対応される再生タイムラインにおける再生時点の中の少なくとも一つを含む。
【０１４６】
２、再生情報に基づいて動画中の再生位置に対応する動画要素を取得する。
【０１４７】
ここで、情報取得要求は、端末が、動画の再生過程中に、ユーザの情報取得命令が受信された後に送信した要求である。再生位置は、端末が動画の再生過程中にユーザの情報取得命令が受信されたタイミングに対応する再生位置である。
【０１４８】
サーバは、情報取得要求中の再生情報が取得された後、再生情報に基づいて動画中の再生位置に対応する動画要素を取得してもよい。実際に実現する時に、サーバが動画中の再生位置に対応する動画要素を取得するステップは、以下のステップを含んでもよい。
【０１４９】
ａ、動画をデコードすることにより、少なくとも一フレームの動画データを取得する。
【０１５０】
サーバは、動画をデコードすることにより、動画中の少なくとも一フレームの動画データを取得してもよい。ここで、動画中のある再生位置には音声が配置されているがもうある再生位置には音声は配置されていないため、音声が配置されている再生位置においては、サーバは、デコードすることにより画像フレームデータと音声フレームデータを同時に取得し、音声が配置されていない再生位置においては、画像フレームデータしかデコードできない。
【０１５１】
ｂ、画像フレームデータに対しては、画像識別技術に従って再生位置における画像フレームデータ中の画像要素を識別する。
【０１５２】
サーバは、デコードして取得した画像フレームデータに対して、画像識別技術に従って画像フレームデータ中の画像要素を識別してもよい。実際に実現する時に、サーバは、デコードして取得した画像フレームデータを、画像データベースの中の各々の画像にマッチングさせ、画像フレームデータの中に画像データベース中の画像にマッチングされる要素が存在すると、マッチングさせて取得した画像要素を画像フレームデータ中の画像要素とする。ここで、画像データベースは、予め設置された、各々の画像が含めたデータベースであり、画像は、目標物体を含む画像である。例えば、画像は、人物、風景、生活の用品、アパレル、タグ、登録商標、ブランド、キーワードの画像、等であり、本実施例ではこれに対して制限しない。
【０１５３】
ｃ、音声フレームデータに対しては、音声識別技術に従って再生位置における音声フレームデータ中の音声要素を識別する。
【０１５４】
音声フレームデータに対しては、サーバは音声識別技術に従って音声フレームデータ中の音声要素を識別する。実際に実現する時に、サーバは、音声フレームデータを歌詞のデータベースにマッチングさせて、音声フレームデータの中の音声要素を取得できる。また、音声要素をもっとも正しく識別するために、サーバは、音声フレームデータ、当該音声フレームデータの前の予め設定された長さの音声フレームデータ、及び当該音声フレームデータの後の予め設定された長さの音声フレームデータ、或は、当該音声フレームデータの前の予め設定された長さの音声フレームデータ、及び当該音声フレームデータの後の予め設定された長さの音声フレームデータの組合せて得る複数のフレーム音声フレームデータを、同時に、歌詞のデータベースにマッチングさせてもよく、本実施例ではこれに対して制限しない。ここで、歌詞のデータベースには、予め設置された、各々のオーディオのデータベースが含まれており、本実施例ではこれに対して制限しない。
【０１５５】
これは上記の実施例中のステップ７０１中の動画要素を識別する識別方法と同様であり、詳細で細かい技術は上記の実施例を参照できるから、本実施例においては繰り返して説明しないことを、説明する必要がある。
【０１５６】
第２、各々の動画要素の関連情報を取得する。
【０１５７】
サーバは、少なくとも一つの動画要素が取得された後、各々の動画要素の関連情報を取得してもよい。ここで、サーバが動画要素の関連情報を取得する取得方法は、以下の二つの実施可能な実施形態を含んでもよい。
【０１５８】
第１の実施可能な実施形態において、本ステップは、以下のステップを含んでもよい。
【０１５９】
１、各々の動画要素に対して、情報検索技術に従って動画要素に関連する少なくとも一つの情報を取得する。
【０１６０】
サーバにより識別して取得した各々の動画要素に対して、サーバは、情報検索技術に従って動画要素に関連する少なくとも一つの情報を取得してもよい。
【０１６１】
２、予め設定された条件に基づいて少なくとも一つの情報をソートして、ソート位置の先頭からのｎ（ｎは正の整数である）個の関連情報を抽出して、動画要素の関連情報とする。
【０１６２】
サーバは、予め設定された条件に基づいて、取得された少なくとも一つの情報をソートしてもよい。ここで、予め設定された条件は、動画要素との関連性、ユーザの地理的の位置との関連性、ユーザの利用履歴との関連性、及び動画要素のメーカー、又はプロバイダーの競争力ランキングの中の少なくとも一つを含む。
【０１６３】
第２の実施可能な実施形態において、本ステップは、以下のステップを含んでもよい。
【０１６４】
ユーザにより各々の動画要素に対して関連情報をアップロードできるため、サーバは他の端末により動画要素のためにアップロードした関連情報を受信できる。ここで、他の端末は、他のユーザが使用する端末であるか、或は、動画要素のメーカー、又はプロバイダーが使用する端末である。他の端末によりアップロードした関連情報は、一定のソート方法に従ってソートした後の情報であってもよく、本実施例ではこれに対して制限しない。
【０１６５】
ステップ８０５において、サーバが、動画中の一つの再生位置に関連する動画要素の関連情報を、端末にフィードバックする。
【０１６６】
サーバは、動画中の一つの再生位置に関連する動画要素の関連情報を生成した後、動画中の一つの再生位置に関連する動画要素の関連情報を、端末にフィードバックしてもよい。
【０１６７】
ステップ８０６において、端末は、サーバからフィードバックされた、再生位置に関連する動画要素の関連情報を受信する。
【０１６８】
ステップ８０７において、端末は、再生位置に関連する動画要素の関連情報が取得された後のタイミングに関連情報を表示する。
【０１６９】
実際に実現する時に、ユーザにより情報取得命令を送信する際には、ユーザは、現在の再生位置における動画要素の関連情報を取得したい。従って、端末は、再生位置に関連する関連情報を取得した後に、直ぐにその関連情報を表示させてもよい。
【０１７０】
上記のように、本実施例によって提供する情報取得方法によると、動画中の動画要素の関連情報を取得して、所定のタイミングに取得した関連情報を表示することにより、関連技術中の情報を取得する効率が悪い問題を解決して、端末は所定のタイミングに動画要素の関連情報を表示できて、情報を取得する効率を上昇させる効果に達した。
【０１７１】
本実施例によると、ユーザの情報取得命令が受信された際に、情報取得命令が受信された際の動画再生位置に対応する位置情報が付加された情報取得要求を生成し、情報取得要求をサーバに送信して、サーバから位置情報に対応する動画要素の関連情報を取得することにより、ユーザにより情報取得命令をトリガする一つの操作のみを実行した後に、端末はユーザの必要な関連情報を表示できるため、情報取得効率を改善し、ユーザの操作の複雑度を低下させる効果に達した。
【０１７２】
上記の各々の実施例において、端末が関連情報を表示する表示方法は、以下の方法の中のいずれか一つの方法を含んでもよいことを、説明する必要がある。
【０１７３】
第１の方法は、以下のとおりである。
【０１７４】
端末が再生デバイスであって、且つ、再生デバイスに対応するリモコンに情報表示機能が有さない場合、そのまま、予め設定された形式に従って関連情報を表示する。
【０１７５】
ここで、予め設定された形式には、分割表示の形式、リスト表示の形式、タグ付け表示の形式、スクロール表示の形式、弾幕表示の形式、及びポップアップ表示の形式の中の少なくとも一つが含まれる。
【０１７６】
例えば、図９Ａを参照すると、端末がテレビであって、且つ、予め設定された形式が分割表示の形式の例を挙げて、テレビに動画中の予め設定された位置を再生させる。例えば、テレビは、スクリーン中の第１表示領域９１に続いて動画を再生し、第２表示領域９２に関連情報を表示する。
【０１７７】
同様に、図９Ｂを参照すると、テレビは、さらに、リスト表示の形式を採用して関連情報を表示してもよい。このように、端末は関連情報を表示させた後、ユーザは、端末に表示された関連情報の中から、自分が必要する情報を速く探すことでできるため、情報取得効率を改善した上で、ユーザの操作を簡素化した。
【０１７８】
図９Ｃを参照すると、テレビは、さらに、タグ付け表示の形式を採用して関連情報を表示してもい。ここで、タグ毎に一つの動画要素が対応されている。ユーザは、ある一動画要素の関連情報を照会しようとする際に、該当するタグをトリガして、当該タグに対応する関連情報を照会してもよい。ここで、端末インターフェイスに一つのカーソルを表示する。当該カーソルは、デフォルトで１番目のタグに対応されているし、且つ、ユーザはリモコン中の上ボタンと下ボタンとを用いて各々のタグにおけるカーソルの位置を切り替えしてもよい。カーソルがユーザの必要なタグに対応されている際に、ユーザは、リモコン中の確認ボタンを押下することにより、対応するタグをトリガしてもよい。実際に実現する時に、端末は、タグに番号付けした後に表示する。このようにして、ユーザが１番目のタグに対応する関連情報を照会しようとする際には、リモコン中の「１」を選択して、１番目のタグをトリガすることができる。本実施例ではこれに対して制限しない。
【０１７９】
図９Ｄを参照すると、端末は、さらに、スクロール表示の形式を採用して関連情報を表示してもよい。このようにして、ユーザは動画を見る同時に、スクリーンの下方のスクロールバーを照会することにより、対応する関連情報を照会することができる。図９Ｄは、ただ、スクロールバーがスクリーンの下方に位置する例であり、実際に実現する時に、スクロールバーは、さらに、スクリーンの左側、右側、上方、等に設定されていてもよいことを、説明する必要がある。本実施例ではこれに対して制限しない。
【０１８０】
図９Ｅを参照すると、端末は、弾幕表示の形式を採用して関連情報を表示してもよい。ここでは、ユーザが動画中の次のタイミングのすばらしい画面を逃すことを防止するために、端末は、弾幕表示の形式に関連情報を表示する際に、動画の再生を一時停止し、ユーザが関連情報の表示からドロップアウトする際に、続いて動画を再生してもよい。本実施例ではこれに対して制限しない。
【０１８１】
図９Ｆを参照すると、端末は、さらに、ポップアップ表示の形式を採用して関連情報を表示させてもよい。このようにして、ユーザは、動画を見る同時に、端末に表示されるポップ画面から対応する関連情報を照会することができる。
【０１８２】
第２の方法は、以下のとおりである。
【０１８３】
端末が再生デバイスであって、且つ、再生デバイスに対応するリモコンに情報表示機能が有する場合、そのまま、予め設定された形式に従って関連情報を表示するか、或は、関連情報を、予め設定された形式に従って関連情報を表示させるためのリモコンに送信する。
【０１８４】
端末が再生デバイスであって、且つ、再生デバイスに対応するリモコンが携帯電話、タブレットＰＣのような情報表示機能を有するデバイスである場合、端末は、そのまま、予め設定された形式に従って関連情報を表示してもよいし、関連情報をリモコンに送信して、リモコンに予め設定された形式に従って関連情報を表示させてもよい。本実施例ではこれに対して制限しない。
【０１８５】
第３の方法は、以下のとおりである。
【０１８６】
端末が再生デバイスに接続されたメディアソースデバイスであって、且つ、メディアソースデバイスに対応するリモコンに情報表示機能が有さない場合、関連情報を、予め設定された形式に従って関連情報を表示させるための再生デバイスに送信する。
【０１８７】
端末が再生デバイスに接続された「ＸＸセットトップボックス」のようなメディアソースデバイスであり、且つ、メディアソースデバイスに対応するリモコンに情報表示機能が有さない場合、端末は関連情報再生デバイスに送信して、予め設定された形式に従って再生デバイスに表示させてもよい。
【０１８８】
第４の方法は、以下のとおりである。
【０１８９】
端末が再生デバイスに接続されたメディアソースデバイスであって、且つ、メディアソースデバイスに対応するリモコンに情報表示機能が有する場合、関連情報を、予め設定された形式に従って関連情報を表示させるための再生デバイス、若しくは、リモコンに送信してもよい。
【０１９０】
同様に、メディアソースデバイスに対応するリモコンに情報表示機能が有する場合、端末は関連情報を再生デバイス、或は、リモコンに送信して、予め設定された形式に従って、再生デバイス、或は、リモコンに表示させてもよい。本実施例ではこれに対して制限しない。
【０１９１】
本実施例は、ただ、同一のタイミングに動画中の少なくとも一つの動画要素の関連情報を表示させる例を挙げた。実際に実現する時に、関連情報のプロパティ情報の中に当該関連情報に対応する再生位置が含まれている場合には、端末は、当該再生位置まで再生させた際に、当該再生位置に対応する関連情報を表示させてもよい。さらに、二つ、或は、二つ以上の再生位置に関連情報が存在する場合には、端末は、二つの再生位置においてそれぞれ対応する関連情報を表示させてもよい。本実施例ではこれに対して制限しない。
【０１９２】
関連情報が、二つ、或は、二つ以上の動画要素に対応される関連情報である場合、端末は、関連情報を表示させる際に、メニューの形式によって関連情報を表示させてもよいことを、説明する必要がある。例えば、端末は、分割表示の形式によって表示させる際に、図９Ｇの模式図に示されたように表示させる。
【０１９３】
端末に表示されている一つの動画要素の関連情報がトリガされた場合、端末は、さらに、以下のステップを実行してもよい。
【０１９４】
動画中の動画要素に対応する再生位置にジャンプしてから再生させるか、或は、関連情報中に含まれた情報リンクに対応する情報内容までジャンプして表示する。
【０１９５】
端末により関連情報を表示させた後に、ユーザは好みの関連情報をトリガしてもよい。例えば、エンドクレジットに関連情報が表示される際に、ユーザが関連情報に対応する再生位置におけるすばらしいセグメントをもう一回見ようとすると、ユーザは、当該関連情報をトリガしてもよい。関連情報がトリガされた後、動画中の動画要素に対応する再生位置にジャンプしてから再生させる。このようにして、ユーザは、当該動画を最初から再生させたり、関連情報に対応する再生位置が再生されるまで待ったりしなくても、対応するセグメントを見るようになり、便利である。
【０１９６】
関連情報が情報リンクを含む情報である場合、ユーザは、情報リンクに対応する詳細情報を照会するために、関連情報をトリガしてもよい。端末は、関連情報がトリガされた後、関連情報中に含まれた情報リンクに対応する情報内容までジャンプして表示する。このようにして、ユーザは、ダイレクトに、端末に表示されつジャンプした後の情報表示インターフェイスから関連情報に対応する詳細情報を照会することができるため、情報取得効率を上昇させた。
【０１９７】
端末が、関連情報中に含まれた情報リンクに対応する情報内容までジャンプして表示するステップは、以下のステップを含んでもよい。
【０１９８】
情報リンクが紹介情報リンクである場合、紹介情報リンクに対応する紹介情報にジャンプして表示する。
【０１９９】
情報リンクがショッピング情報リンクである場合、ショッピング情報リンクに対応するショッピング情報にジャンプして表示する。
【０２００】
情報リンクがチケット購入情報リンクである場合、チケット購入情報リンクに対応するチケット購入情報にジャンプして表示する。
【０２０１】
情報リンクが交通情報リンクである場合、交通情報リンクに対応する交通情報にジャンプして表示する。
【０２０２】
情報リンクが旅行情報リンクである場合、旅行情報リンクに対応する旅行情報にジャンプして表示する。
【０２０３】
情報リンクが社交情報リンクである場合、社交情報リンクに対応する社交情報にジャンプして表示する。
【０２０４】
情報リンクが論評情報リンクである場合、論評情報リンクに対応する論評情報にジャンプして表示する。
【０２０５】
例えば、サーバによって特定した「人物Ａ」の画像の関連情報である「人物Ａの最新報道」が一つのリンクである場合、ユーザが端末に表示された当該関連情報を選択すると、端末は当該リンクに対応する社交情報にジャンプして表示する。また、サーバにより「ＸＸブランドのある型の上着」の画像に対して検索された情報中にＥ-ショッピングサイトにより提供するショッピングリンクがさらに含まれている場合、ユーザが当該関連情報を選択すると、端末は当該ショッピングリンクに対応するショッピング情報にジャンプして表示する。
【０２０６】
以下は、本発明の装置の実施例であり、本発明の方法の実施例を実行することができる。本発明の装置の実施例において記述していない細部内容に対しては、本発明の方法の実施例を参照してください。
【０２０７】
図１０は、例示的な一実施例に係る情報取得装置を示すブロック図である。当該情報取得装置は、ソフトウェア、ハードウェア、又は両者の組み合わせによって、図１Ａ、或は、図１Ｂに示された端末の一部、又は全部を実現できる。当該情報取得装置は、情報取得モジュール１０１０、及び情報表示モジュール１０２０を含んでもよい。
【０２０８】
情報取得モジュール１０１０は、動画中の画像要素、音声要素、或は、再生セグメントである、少なくとも一つの動画要素の関連情報を取得する。
【０２０９】
情報表示モジュール１０２０は、所定のタイミングに関連情報を表示する。
【０２１０】
上記のように、本実施例により提供する情報取得装置によると、動画中の動画要素の関連情報を取得して、所定のタイミングに取得した関連情報を表示することにより、関連技術中の情報を取得する効率が悪い問題を解決して、端末は所定のタイミングに動画要素の関連情報を表示できて、情報を取得する効率を上昇させる効果に達した。
【０２１１】
図１１は、例示的な一実施例に係る情報取得装置を示すブロック図である。当該情報取得装置は、ソフトウェア、ハードウェア、又は両者の組み合わせによって、図１Ａ、或は、図１Ｂに示された端末の一部、又は全部を実現できる。当該情報取得装置は、情報取得モジュール１１１０、及び情報表示モジュール１１２０を含んでもよい。
【０２１２】
情報取得モジュール１１１０は、動画中の画像要素、音声要素、或は、再生セグメントである、少なくとも一つの動画要素の関連情報を取得する。
【０２１３】
情報表示モジュール１１２０は、所定のタイミングに関連情報を表示する。
【０２１４】
本実施例により提供する第１の実現可能な形態において、情報取得モジュール１０１０は、予め設定されたタイミングにサーバから動画の少なくとも一つの動画要素の関連情報をダウンロードして保存する。
【０２１５】
予め設定されたタイミングは、動画の再生前のタイミング、動画の再生中のタイミング、或は、アイドルタイミングを含む。
【０２１６】
本実施例の第２の実現可能な形態において、所定のタイミングは、
動画のエンドクレジットまで再生させた際のタイミング、或は、
動画の再生中に、一時停止の信号が受信された際のタイミング；、或は、
動画中の予め設定された位置のところまで再生させたタイミングを含む。
【０２１７】
本実施例の第３の実現可能な形態において、情報取得モジュール１１１０は、動画中のある再生位置まで再生させた際にユーザの情報取得命令が受信された場合、予めダウンロードした動画の少なくとも一つの動画要素の関連情報の中から、再生位置に関連する動画要素の関連情報を検出する。
【０２１８】
本実施例の第４の実現可能な形態において、情報取得モジュール１１１０は、
動画中のある再生位置まで再生させた際にユーザの情報取得命令が受信された場合、サーバに、再生位置に関連する動画要素の関連情報を取得するための情報取得要求を送信するための要求送信ユニット１１１１と、
サーバからフィードバックされた、再生位置に関連する動画要素の関連情報を受信するための情報受信ユニット１１１２とを備える。
【０２１９】
本実施例の第５の実現可能な形態において、要求送信ユニット１１１１は、
再生位置に対応する、再生位置における画像フレームデータ、再生位置における音声フレームデータ、及び再生位置に対応される再生タイムラインにおける再生時点の中の少なくとも一つが含まれた再生情報を取得するための情報取得サブユニット１１１１ａと、
要求送信サブユニット１１１１ｂは、サーバに、動画の動画ＩＤと再生位置に対応する再生情報とが付加された情報取得要求を送信する。
【０２２０】
本実施例の第６の実現可能な形態において、所定のタイミングは、
再生位置に関連する動画要素の関連情報が取得された後のタイミングを含む。
【０２２１】
本実施例の第７の実現可能な形態において、情報表示モジュール１１２０は、
端末が再生デバイスであって、且つ、再生デバイスに対応するリモコンに情報表示機能が有さない場合、そのまま、予め設定された形式に従って関連情報を表示させ、
端末が再生デバイスであって、且つ、再生デバイスに対応するリモコンに情報表示機能が有する場合、そのまま、予め設定された形式に従って関連情報を表示するか、或は、関連情報を、予め設定された形式に従って関連情報を表示させるためのリモコンに送信し、
端末が再生デバイスに接続されたメディアソースデバイスであって、且つ、メディアソースデバイスに対応するリモコンに情報表示機能が有さない場合、関連情報を、予め設定された形式に従って関連情報を表示させるための再生デバイスに送信し、
端末が再生デバイスに接続されたメディアソースデバイスであって、且つ、メディアソースデバイスに対応するリモコンに情報表示機能が有する場合、関連情報を、予め設定された形式に従って関連情報を表示させるための再生デバイス、若しくは、リモコンに送信し、
予め設定された形式には、分割表示の形式、リスト表示の形式、タグ付け表示の形式、スクロール表示の形式、弾幕表示の形式、及びポップアップ表示の形式の中の少なくとも一つが含まれる。
【０２２２】
本実施例の第８の実現可能な形態において、装置は、
情報ジャンプモジュール１１３０、表示されている一つの動画要素の関連情報がトリガされた場合、動画中の動画要素に対応する再生位置にジャンプしてから再生させるか、或は、関連情報中に含まれた情報リンクに対応する情報内容までジャンプして表示する。
【０２２３】
上記のように、本実施例により提供する情報取得装置によると、少なくとも一つの動画要素の関連情報を生成し、端末に少なくとも一つの動画要素の関連情報を提供して、端末が関連情報を取得した後に、所定のタイミングに関連情報を表示するようにして、関連技術中の情報を取得する効率が悪い問題を解決して、端末は所定のタイミングに動画要素の関連情報を表示できて、情報を取得する効率を上昇させる効果に達した。
【０２２４】
図１２は、例示的な一実施例に係る情報取得装置を示すブロック図である。当該情報取得装置は、ソフトウェア、ハードウェア、又は両者の組み合わせによって、図１Ａ、或は、図１Ｂに示されたサーバの一部、又は全部を実現できる。当該情報取得装置は、情報生成モジュール１２１０、及び情報提供モジュール１２２０を含んでもよい。
【０２２５】
情報生成モジュール１２１０は、動画中の画像要素、音声要素、又は、一つの再生セグメントである、少なくとも一つの動画要素の関連情報を生成する。
【０２２６】
情報提供モジュール１２２０は、所定のタイミングに関連情報を表示させるための端末に、動画中の少なくとも一つの動画要素の関連情報を提供する。
【０２２７】
上記のように、本実施例により提供する情報取得装置によると、少なくとも一つの動画要素の関連情報を生成し、端末に少なくとも一つの動画要素の関連情報を提供して、端末が関連情報を取得した後に、所定のタイミングに関連情報を表示するようにして、関連技術中の情報を取得する効率が悪い問題を解決して、端末は所定のタイミングに動画要素の関連情報を表示できて、情報を取得する効率を上昇させる効果に達した。
【０２２８】
図１３は、例示的な一実施例に係る情報取得装置を示すブロック図である。当該情報取得装置は、ソフトウェア、ハードウェア、又は両者の組み合わせによって、図１Ａ、或は、図１Ｂに示されたサーバの一部、又は全部を実現できる。当該情報取得装置は、情報生成モジュール１３１０、及び情報提供モジュール１３２０を含む。
【０２２９】
情報生成モジュール１３１０は、動画中の画像要素、音声要素、又は、一つの再生セグメントである、少なくとも一つの動画要素の関連情報を生成する。
【０２３０】
情報提供モジュール１３２０は、所定のタイミングに関連情報を表示させるための端末に、動画中の少なくとも一つの動画要素の関連情報を提供する。
【０２３１】
本実施例の第１の実現可能な形態において、
情報提供モジュール１３２０は、予め設定されたタイミングに、端末に動画中の少なくとも一つの動画要素の関連情報のダウンロードを提供する。
【０２３２】
予め設定されたタイミングは、端末が動画の再生前のタイミング、端末の動画の再生中のタイミング、或は、端末のアイドルタイミングを含む。
【０２３３】
本実施例の第２の実現可能な形態において、
情報提供モジュール１３２０は、端末が送信した情報取得要求が受信された後、端末に動画中の一つの再生位置に関連する動画要素の関連情報をフィードバックする。
【０２３４】
情報取得要求は、端末により動画の再生過程中にユーザの情報取得命令が受信された後に送信した要求であり、再生位置は、端末により動画の再生過程中にユーザの情報取得命令が受信されたタイミングに対応する再生位置である。
【０２３５】
本実施例の第３の実現可能の形態において、情報生成モジュール１３１０は、
動画中の少なくとも一つの動画要素を識別するための要素識別ユニット１３１１と、
各々の動画要素の関連情報を取得するための情報取得ユニット１３１２とを備える。
【０２３６】
図１３Ｂを参照すると、本実施例の第４の実現可能な形態において、要素識別ユニット１３１１は、
動画をデコードすることにより、画像フレームデータ、又は、画像フレームデータ及び音声フレームデータの両方が含まれた動画データである、少なくとも一つのフレームの動画データを取得するための動画データ取得サブユニット１３１１ａと、
画像フレームデータに対しては、画像識別技術に従って画像フレームデータ中の画像要素を識別するための第１識別サブユニット１３１１ｂと、
音声フレームデータに対しては、音声識別技術に従って音声フレームデータ中の音声要素を識別するための第２識別サブユニット１３１１ｃとを備える。
【０２３７】
図１３Ｃを参照すると、本実施例の第５の実現可能な形態において、要素識別ユニット１３１１は、
端末が送信した情報取得要求が受信された後、情報取得要求中に付加された一つの再生位置に対応する再生情報を取得するための再生情報取得サブユニット１３１１ｅと、
再生情報に基づいて動画中の再生位置に対応する動画要素を取得するための要素取得サブユニット１３１１ｆとを備え、
再生情報は、再生位置における画像フレームデータ、再生位置における音声フレームデータ、及び再生位置に対応される再生タイムラインにおける再生時点の中の少なくとも一つを含む。
【０２３８】
ここで、情報取得要求は、端末により動画の再生過程中にユーザの情報取得命令が受信された後に送信した要求であり、再生位置は、端末により動画の再生過程中にユーザの情報取得命令が受信されたタイミングに対応する再生位置である。
【０２３９】
本実施例の第６の実現可能の形態において、要素識別ユニット１３１１は、他の端末により動画に対してアップロードした動画要素であって、他の端末のユーザにより標記した動画要素である、少なくとも一つの動画要素を受信する。
【０２４０】
図１３Ｄを参照すると、本実施例の第７の実現可能な形態において、情報取得ユニット１３１２は、
各々の動画要素に対して、情報検索技術に従って動画要素に関連する少なくとも一つの情報を取得するための情報取得サブユニット１３１２ａと、
予め設定された条件に基づいて少なくとも一つの情報をソートして、ソート位置の先頭からのｎ（ｎは正の整数である）個の関連情報を抽出して、動画要素の関連情報とするための情報ソートサブユニット１３１２ｂとを備え、
予め設定された条件は、動画要素との関連性、ユーザの地理的の位置との関連性、ユーザの利用履歴との関連性、及び動画要素のメーカー、又はプロバイダーの競争力ランキングの中の少なくとも一つを含む。
【０２４１】
本実施例の第８の実現可能な形態において、
情報取得ユニット１３１２は、他の端末により動画要素に対してアップロードした関連情報を受信し、
他の端末は、他のユーザが使用する端末であるか、或は、動画要素のメーカー、又はプロバイダーが使用する端末である。
【０２４２】
上記のように、本実施例により提供する情報取得装置によると、少なくとも一つの動画要素の関連情報を生成し、端末に少なくとも一つの動画要素の関連情報を提供して、端末が関連情報を取得した後に、所定のタイミングに関連情報を表示するようにして、関連技術中の情報を取得する効率が悪い問題を解決して、端末は所定のタイミングに動画要素の関連情報を表示できて、情報を取得する効率を上昇させる効果に達した。
【０２４３】
上記の実施例の装置について、その各モジュールが実行する操作の具体的な形態は既に当該方法に関する実施例において詳細に説明したため、ここでは詳細に説明しない。
【０２４４】
図１４は、例示的な一実施例に係る情報を取得するための装置１４００を示すブロック図である。例えば、装置１４００は、携帯電話、コンピューター、デジタルブロードキャスティング端末、メッセージ送受信デバイス、ゲームコンソール、タブレットデバイス、医療機器、フィットネス機器、パーソナルデジタルアシスタント等であってもよい。
【０２４５】
図１４を参照して、装置１４００は、プロセスアセンブリ１４０２、メモリ１４０４、電源アセンブリ１４０６、マルチメディアアセンブリ１４０８、オーディオアセンブリ１４１０、入出力（Ｉ／ O）インターフェイス１４１２、センサアセンブリ１４１４、及び通信アセンブリ１４１６のような一つ以上のアセンブリを含んでよい。
【０２４６】
プロセスアセンブリ１４０２は、一般的には装置１４００の全体の操作を制御するものであり、例えば、表示、電話呼び出し、データ通信、カメラ操作、及び記録操作と関連する操作を制御する。プロセスアセンブリ１４０２は、一つ以上のプロセッサ１４２０を含み、これらによって命令を実行することにより、上記の方法の全部、或は一部のステップを実現するようにしてもよい。なお、プロセスアセンブリ１４０２は、一つ以上のモジュールを含み、これらによってプロセスアセンブリ１４０２と他のアセンブリの間のインタラクションを容易にするようにしてもよい。例えば、プロセスアセンブリ１４０２は、マルチメディアモジュールを含み、これらによってマルチメディアアセンブリ１４０８とプロセスアセンブリ１４０２の間のインタラクションを容易にするようにしてもよい。
【０２４７】
メモリ１４０４は、各種類のデータを記憶することにより装置１４００の操作を支援するように構成される。これらのデータの例は、装置１４００において操作されるいずれのアプリケーションプログラム又は方法の命令、連絡対象データ、電話帳データ、メッセージ、画像、ビデオ等を含む。メモリ１４０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２４８】
電源アセンブリ１４０６は、装置１４００の多様なアセンブリに電力を供給する。電源アセンブリ１４０６は、電源管理システム、一つ以上の電源、及び装置１４００のための電力の生成、管理及び割り当てに関連する他のアセンブリを含んでもよい。
【０２４９】
マルチメディアアセンブリ１４０８は、前記装置１４００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１４０８は、一つのフロントカメラ、及び／又はリアカメラを含む。装置１４００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２５０】
オーディオアセンブリ１４１０は、オーディオ信号を入出力するように構成されてもよい。例えば、オーディオアセンブリ１４１０は、一つのマイク（ＭＩＣ）を含み、装置１４００が、例えば呼出しモード、記録モード、及び音声認識モード等の操作モードにある場合、マイクは外部のオーディオ信号を受信することができる。受信されたオーディオ信号は、さらにメモリ１４０４に記憶されたり、通信アセンブリ１４１６を介して送信されたりされる。上記の実施例において、オーディオアセンブリ１４１０は、オーディオ信号を出力するための一つのスピーカーをさらに含む。
【０２５１】
Ｉ／Ｏインターフェイス１４１２は、プロセスアセンブリ１４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０２５２】
センサアセンブリ１４１４は、装置１４００に各方面の状態に対する評価を提供するための一つ以上のセンサを含む。例えば、センサアセンブリ１４１４は、装置１４００のＯＮ／ＯＦＦ状態、装置１４００のディスプレイとキーパッドのようなアセンブリの相対的な位置決めを検出できる。また、例えば、センサアセンブリ１４１４は、装置１４００、或は装置１４００の一つのアセンブリの位置変更、ユーザと装置１４００とが接触しているか否か、装置１４００の方位、又は加速／減速、装置１４００の温度の変化を検出できる。センサアセンブリ１４１４は、何れの物理的接触がない状態にて付近の物体の存在を検出するための近接センサを含んでもよい。センサアセンブリ１４１４は、撮影アプリケーションに適用するため、ＣＭＯＳ、又はＣＣＤ図像センサのような光センサを含んでもよい。上記の実施例において、当該センサアセンブリ１４１４は、加速度センサ、ジャイロスコープセンサ、磁気センサ、圧力センサ、及び温度センサをさらに含んでもよい。
【０２５３】
通信アセンブリ１４１６は、装置１４００と他の機器の間に有線、又は无線形態の通信を提供する。装置１４００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１４１６は、ブロードキャスティングチャンネルを介して外部のブロードキャスティング管理システムからのブロードキャスティング信号、又はブロードキャスティングに関連する情報を受信する。一つの例示的な実施例において、前記通信アセンブリ１４１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術（登録商標）、他の技術に基づいて実現できる。
【０２５４】
例示的な実施例において、装置１４００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２５５】
例示的な実施例において、さらに、命令を含むコンピュータ読取り可能な非一時的な記録媒体、例えば命令を含むメモリ１４０４を提供しており、装置１４００のプロセッサ１４２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０２５６】
コンピュータ読取り可能な非一時的な記録媒体は、当該記録媒体中の命令が装置１４００のプロセッサによって実行される際に、装置１４００に情報取得方法を実行させることができる。
【０２５７】
図１５は、例示的な一実施例に係る情報を取得するための装置１５００を示すブロック図である。例えば、装置１５００をサーバとして提供してもよい。図１５を参照すると、装置１５００は、プロセスアセンブリ１５２２を備える。当該プロセスアセンブリ１５２２は、一つ以上のプロセッサ、及びメモリ１５３２を代表とするメモリリソースを、さらに備える。当該メモリリソースは、プロセスアセンブリ１５２２によって実行される、例えばアプリケーションプログラムのような命令を保存する。メモリ１５３２中に保存されたアプリケーションプログラムには、それぞれ一つの命令のセットに対応する一つ以上のモジュールを含まれてもよい。なお、プロセスアセンブリ１５２２は、命令を実行することにより、上記の情報取得方法を実行する。
【０２５８】
装置１５００は、装置１５００の電源を管理するための一つの電源アセンブリ１５２６、装置１５００をネットワークに接続させるための一つの有線又は無線のネットワークインターフェイス１５５０、及び、一つのＩ／Ｏインターフェイス１５５８を備えてもよい。装置１５００は、メモリ１５３２に保存された、例えば、Ｗｉｎｄｏｗｓ Ｓｅｒｖｅｒ（登録商標）、Ｍａｃ ＯＳ Ｘ（登録商標）、Ｕｎｉｘ（登録商標）, Ｌｉｎｕｘ（登録商標）、ＦｒｅｅＢＳＤ（登録商標）のようなオペレーティング・システムによって、操作を行うことができる。
【０２５９】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０２６０】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【図１Ａ】
2016533075.tif 000003
【図１Ｂ】
2016533075.tif 000004
【図２】
2016533075.tif 000005
【図３】
2016533075.tif 000006
【図４】
2016533075.tif 000007
【図５】
2016533075.tif 000008
【図６】
2016533075.tif 000009
【図７】
2016533075.tif 000010
【図８】
2016533075.tif 000011
【図９Ａ】
2016533075.tif 000012
【図９Ｂ】
2016533075.tif 000013
【図９Ｃ】
2016533075.tif 000014
【図９Ｄ】
2016533075.tif 000015
【図９Ｅ】
2016533075.tif 000016
【図９Ｆ】
2016533075.tif 000017
【図９Ｇ】
2016533075.tif 000018
【図１０】
2016533075.tif 000019
【図１１】
2016533075.tif 000020
【図１２】
2016533075.tif 000021
【図１３Ａ】
2016533075.tif 000022
【図１３Ｂ】
2016533075.tif 000023
【図１３Ｃ】
2016533075.tif 000024
【図１３Ｄ】
2016533075.tif 000025
【図１４】
2016533075.tif 000026
【図１５】
2016533075.tif 000027
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
端末に利用される情報取得方法であって、
動画中の画像要素、音声要素、或は、再生セグメントである、少なくとも一つの動画要素の関連情報を取得するステップと、
所定のタイミングに前記関連情報を表示するステップと
を含むことを特徴とする情報取得方法。
【請求項２】
前記動画中の少なくとも一つの動画要素の関連情報を取得するステップは、
予め設定されたタイミングに、サーバから前記動画の少なくとも一つの動画要素の関連情報をダウンロードして保存するステップを含み、
前記予め設定されたタイミングは、前記動画の再生前のタイミング、前記動画の再生中のタイミング、或は、アイドルタイミングを含む
ことを特徴とする請求項１に記載の情報取得方法。
【請求項３】
前記所定のタイミングは、
前記動画のエンドクレジットまで再生させた際のタイミング、或は、
前記動画の再生中に、一時停止の信号が受信された際のタイミングを含む
ことを特徴とする請求項２に記載の情報取得方法。
【請求項４】
前記動画中の少なくとも一つの動画要素の関連情報を取得するステップは、
前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出するステップ
を含むことを特徴とする請求項１に記載の情報取得方法。
【請求項５】
前記動画中の少なくとも一つの動画要素の関連情報を取得するステップは、
前記動画中のある再生位置まで再生させた際にユーザの情報取得命令が受信された場合、サーバに、前記再生位置に関連する動画要素の関連情報を取得するための情報取得要求を送信するステップと、
前記サーバによいフィードバックした、前記再生位置に関連する動画要素の関連情報を受信するステップと
を含むことを特徴とする請求項１に記載の情報取得方法。
【請求項６】
前記サーバに情報取得要求を送信するステップは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記サーバに、前記動画の動画ＩＤと前記再生位置に対応する再生情報とが付加された前記情報取得要求を送信するステップと
を含むことを特徴とする請求項５に記載の情報取得方法。
【請求項７】
前記所定のタイミングは、
前記再生位置に関連する動画要素の関連情報が取得された後のタイミングを含む
ことを特徴とする請求項４乃至６のいずれか１項に記載の情報取得方法。
【請求項８】
前記所定のタイミングに前記関連情報を表示するステップは、
前記端末が再生デバイスであって、且つ、前記再生デバイスに対応するリモコンに情報表示機能が有さない場合、予め設定された形式に従って、前記関連情報をダイレクトに表示するステップと、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信するステップと、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信するステップと、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信するステップと
を含み、
前記予め設定された形式には、分割表示の形式、リスト表示の形式、タグ付け表示の形式、スクロール表示の形式、弾幕表示の形式、及びポップアップ表示の形式の中の少なくとも一つが含まれる
ことを特徴とする請求項１乃至６のいずれか１項に記載の情報取得方法。
【請求項９】
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるステップ
をさらに含むことを特徴とする請求項１乃至６のいずれか１項に記載の情報取得方法。
【請求項１０】
サーバに利用される情報取得方法であって、
動画中の画像要素、音声要素、又は再生セグメントである、少なくとも一つの動画要素の関連情報を生成するステップと、
所定のタイミングに、前記関連情報を表示するための端末に、前記動画中の少なくとも一つの動画要素の関連情報を提供するステップと
を含むことを特徴とする情報取得方法。
【請求項１１】
前記動画中の少なくとも一つの動画要素の関連情報を前記端末に提供するステップは、
予め設定されたタイミングに、前記動画中の少なくとも一つの動画要素の関連情報のダウンロードを前記端末に提供するステップ
を含み、
前記予め設定されたタイミングは、前記端末の前記動画の再生前のタイミング、前記端末の動画の再生中のタイミング、或は、前記端末のアイドルタイミングを含む
ことを特徴とする請求項１０に記載の情報取得方法。
【請求項１２】
前記動画中の少なくとも一つの動画要素の関連情報を前記端末に提供するステップは、
前記端末により送信した情報取得要求が受信された後、前記動画中の一つの再生位置に関連する動画要素の関連情報を前記端末にフィードバックするステップを含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項１０に記載の情報取得方法。
【請求項１３】
前記動画中の少なくとも一つの動画要素の関連情報を生成するステップは、
前記動画中の少なくとも一つの動画要素を識別するステップと、
各々の動画要素の関連情報を取得するステップと
を含むことを特徴とする請求項１０乃至１２のいずれか１項に記載の情報取得方法。
【請求項１４】
前記動画中の少なくとも一つの動画要素を識別するステップは、
前記動画をデコードすることにより、画像フレームデータ、及び音声フレームデータの中の前の方、又は、両方が含まれた動画データである、少なくとも一つのフレームの動画データを取得するステップと、
画像フレームデータに対しては、画像識別技術に従って前記画像フレームデータ中の画像要素を識別するステップと、
音声フレームデータに対しては、音声識別技術に従って前記音声フレームデータ中の音声要素を識別するステップと
を含むことを特徴とする請求項１３に記載の情報取得方法。
【請求項１５】
前記動画中の少なくとも一つの動画要素を識別するステップは、
前記端末により送信した情報取得要求が受信された後、前記情報取得要求中に付加された一つの再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するステップと、
前記再生情報に基づいて前記動画中の前記再生位置に対応する動画要素を取得するステップと
を含み、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である。
ことを特徴とする請求項１３に記載の情報取得方法。
【請求項１６】
前記動画中の少なくとも一つの動画要素を識別するステップは、
他の端末により前記動画に対してアップロードした動画要素であって、前記他の端末のユーザにより標記した動画要素である、少なくとも一つの動画要素を受信するステップ
を含むことを特徴とする請求項１３に記載の情報取得方法。
【請求項１７】
前記各々の動画要素の関連情報を取得するステップは、
各々の動画要素に対して、情報検索技術に従って前記動画要素に関連する少なくとも一つの情報を取得するステップと、
予め設定された条件に基づいて少なくとも一つの情報をソートして、ソート位置の先頭からのｎ（ｎは正の整数である）個の関連情報を抽出して前記動画要素の関連情報とするステップと
を含み、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む
ことを特徴とする請求項１３に記載の情報取得方法。
【請求項１８】
前記各々の動画要素の関連情報を取得するステップは、
他の端末により前記動画要素に対してアップロードした関連情報を受信するステップ
を含み、
前記他の端末は、他のユーザが使用する端末であるか、或は、前記動画要素のメーカー、又はプロバイダーが使用する端末である
ことを特徴とする請求項１３に記載の情報取得方法。
【請求項１９】
端末に利用される情報取得装置であって、
動画中の画像要素、音声要素、或は、再生セグメントである、少なくとも一つの動画要素の関連情報を取得するための情報取得モジュールと、
所定のタイミングに前記関連情報を表示するための情報表示モジュールと
を備えることを特徴とする情報取得装置。
【請求項２０】
前記情報取得モジュールは、予め設定されたタイミングにサーバから前記動画の少なくとも一つの動画要素の関連情報をダウンロードして保存し、
前記予め設定されたタイミングは、前記動画の再生前のタイミング、前記動画の再生中のタイミング、或は、アイドルタイミングを含む
ことを特徴とする請求項１９に記載の情報取得装置。
【請求項２１】
前記所定のタイミングは、
前記動画のエンドクレジットまで再生させた際のタイミング、或は、
前記動画の再生中に、一時停止の信号が受信された際のタイミングを含む
ことを特徴とする請求項２０に記載の情報取得装置。
【請求項２２】
前記情報取得モジュールは、前記動画中のある再生位置まで再生させた際にユーザの情報取得命令が受信された場合、予めダウンロードした前記動画の少なくとも一つの動画要素の関連情報の中から、前記再生位置に関連する動画要素の関連情報を検出する
ことを特徴とする請求項１９に記載の情報取得装置。
【請求項２３】
前記情報取得モジュールは、
前記動画中のある再生位置まで再生させた際にユーザの情報取得命令が受信された場合、サーバに、前記再生位置に関連する動画要素の関連情報を取得するための情報取得要求を送信するための要求送信ユニットと、
前記サーバによいフィードバックした、前記再生位置に関連する動画要素の関連情報を受信するための情報受信ユニットと
を備えることを特徴とする請求項１９に記載の情報取得装置。
【請求項２４】
前記要求送信ユニットは、
前記再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するための情報取得サブユニットと、
前記サーバに、前記動画の動画ＩＤと前記再生位置に対応する再生情報とが付加された前記情報取得要求を送信するための要求送信サブユニットと
を備えることを特徴とする請求項２３に記載の情報取得装置。
【請求項２５】
前記所定のタイミングは、
前記再生位置に関連する動画要素の関連情報が取得された後のタイミングを含む
ことを特徴とする請求項２２乃至２４のいずれか１項に記載の情報取得装置。
【請求項２６】
前記情報表示モジュールは、
前記端末が再生デバイスであって、且つ、前記再生デバイスに対応するリモコンに情報表示機能が有さない場合、予め設定された形式に従って、前記関連情報をダイレクトに表示させ、
前記端末が再生デバイスであって、且つ、前記再生デバイスに対応するリモコンに情報表示機能が有する場合、予め設定された形式に従って、前記関連情報をダイレクトに表示するか、或は、前記関連情報を、予め設定された形式に従って前記関連情報を表示するための前記リモコンに送信し、
前記端末が再生デバイスに接続されたメディアソースデバイスであって、且つ、前記メディアソースデバイスに対応するリモコンに情報表示機能が有さない場合、前記関連情報を、予め設定された形式に従って前記関連情報を表示するための前記再生デバイスに送信し、
前記端末が再生デバイスに接続されたメディアソースデバイスであって、且つ、前記メディアソースデバイスに対応するリモコンに情報表示機能が有する場合、前記関連情報を、予め設定された形式に従って前記関連情報を表示するための前記再生デバイス、或は前記リモコンに送信し、
前記予め設定された形式には、分割表示の形式、リスト表示の形式、タグ付け表示の形式、スクロール表示の形式、弾幕表示の形式、及びポップアップ表示の形式の中の少なくとも一つが含まれる
ことを特徴とする請求項１９乃至２４のいずれか１項に記載の情報取得装置。
【請求項２７】
表示されている一つの動画要素の関連情報がトリガされた場合、前記動画中の前記動画要素に対応する再生位置までジャンプしてから再生させるか、或は、前記関連情報中に含まれた情報リンクに対応する情報内容までジャンプして表示させるための情報ジャンプモジュール
を、さらに備えることを特徴とする請求項１９乃至２４のいずれか１項に記載の情報取得装置。
【請求項２８】
サーバに利用される情報取得装置であって、
動画中の画像要素、音声要素、又は再生セグメントである、少なくとも一つの動画要素の関連情報を生成するための情報生成モジュールと、
所定のタイミングに、前記関連情報を表示するための端末に、前記動画中の少なくとも一つの動画要素の関連情報を提供するための情報提供モジュールと
を備えることを特徴とする情報取得装置。
【請求項２９】
前記情報提供モジュールは、予め設定されたタイミングに、前記動画中の少なくとも一つの動画要素の関連情報のダウンロードを前記端末に提供し、
前記予め設定されたタイミングは、前記端末の前記動画の再生前のタイミング、前記端末の動画の再生中のタイミング、或は、前記端末のアイドルタイミングを含む
ことを特徴とする請求項２８に記載の情報取得装置。
【請求項３０】
前記情報提供モジュールは、前記端末により送信した情報取得要求が受信された後、前記動画中の一つの再生位置に関連する動画要素の関連情報を前記端末にフィードバックし、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項２８に記載の情報取得装置。
【請求項３１】
前記情報提供モジュールは、
前記動画中の少なくとも一つの動画要素を識別するための要素識別ユニットと、
各々の動画要素の関連情報を取得するための情報取得ユニットと
を備えることを特徴とする請求項２８乃至３０のいずれか１項に記載の情報取得装置。
【請求項３２】
前記要素識別ユニットは、
前記動画をデコードすることにより、画像フレームデータ、及び音声フレームデータの中の前の方、又は、両方が含まれた動画データである、少なくとも一つのフレームの動画データを取得するための動画データ取得サブユニットと、
画像フレームデータに対しては、画像識別技術に従って前記画像フレームデータ中の画像要素を識別するための第１識別サブユニットと、
音声フレームデータに対しては、音声識別技術に従って前記音声フレームデータ中の音声要素を識別するための第２識別サブユニットと
を備えることを特徴とする請求項３１に記載の情報取得装置。
【請求項３３】
前記要素識別ユニットは、
前記端末により送信した情報取得要求が受信された後、前記情報取得要求中に付加された一つの再生位置に対応する、前記再生位置における画像フレームデータ、前記再生位置における音声フレームデータ、及び前記再生位置に対応される再生タイムラインにおける再生時点の中の少なくとも一つが含まれた再生情報を取得するための再生情報取得サブユニットと、
前記再生情報に基づいて前記動画中の前記再生位置に対応する動画要素を取得するための要素取得サブユニットと
を備え、
前記情報取得要求は、前記端末により前記動画の再生過程中にユーザの情報取得命令が受信された後に送信した要求であり、前記再生位置は、前記端末により動画の再生過程中にユーザの情報取得命令が受信されたタイミングに対応する再生位置である
ことを特徴とする請求項３１に記載の情報取得装置。
【請求項３４】
前記要素識別ユニットは、他の端末により前記動画に対してアップロードした動画要素であって、前記他の端末のユーザにより標記した動画要素である、少なくとも一つの動画要素を受信する
ことを特徴とする請求項３１に記載の情報取得装置。
【請求項３５】
前記情報取得ユニットは、
各々の動画要素に対して、情報検索技術に従って前記動画要素に関連する少なくとも一つの情報を取得するための情報取得サブユニットと、
予め設定された条件に基づいて少なくとも一つの情報をソートして、ソート位置の先頭からのｎ（ｎは正の整数である）個の関連情報を抽出して前記動画要素の関連情報とするための情報ソートサブユニットと
を備え、
前記予め設定された条件は、前記動画要素との関連性、ユーザの地理的の位置との関連性、ユーザの利用履歴との関連性、及び動画要素のメーカー、又はプロバイダーの競争力ランキングの中の少なくとも一つを含む
ことを特徴とする請求項３１に記載の情報取得装置。
【請求項３６】
前記情報取得ユニットは、他の端末により前記動画要素に対してアップロードした関連情報を受信し、
前記他の端末は、他のユーザが使用する端末であるか、或は、前記動画要素のメーカー、又はプロバイダーが使用する端末である
ことを特徴とする請求項３１に記載の情報取得装置。
【請求項３７】
端末に利用される情報取得装置であって、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示するように構成される
ことを特徴とする情報取得装置。
【請求項３８】
サーバに利用される情報取得装置であって、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示するように構成される
ことを特徴とする情報取得装置。
【請求項３９】
プロセッサに実行されることにより、請求項１から請求項１８のいずれかに記載の情報取得方法を実現することを特徴とするプログラム。
【請求項４０】
請求項３９に記載のプログラムが記録された記録媒体。
【手続補正３】
【補正対象書類名】明細書
【補正対象項目名】０００２
【補正方法】変更
【補正の内容】
【０００２】
本発明は、インターネット技術分野に関し、特に、情報取得方法、装置、プログラム、及び記録媒体に関する。
【手続補正４】
【補正対象書類名】明細書
【補正対象項目名】０００６
【補正方法】変更
【補正の内容】
【０００６】
関連技術中の情報を取得する効率がより低い問題を解決するために、本発明に係る実施例は、情報取得方法、装置、プログラム、及び記録媒体を提供する。前記技術案は以下のとおりである。
【手続補正５】
【補正対象書類名】明細書
【補正対象項目名】００４４
【補正方法】変更
【補正の内容】
【００４４】
本発明に係る実施例の第６の態様によると、サーバに利用される情報取得装置を提供する。前記装置は、
プロセッサと、
前記プロセッサが実行可能な命令を記憶するためのメモリと
を備え、
前記プロセッサは、
動画中の画像要素、音声要素、或は、再生セグメントである、少なくとも一つの動画要素の関連情報を取得し、
所定のタイミングに前記関連情報を表示する
ように構成される。
本発明に係る実施例の第７の態様によると、プロセッサに実行されることにより、上記の情報取得方法を実現するプログラムを提供する。
本発明の実施例の第８の態様によると、上記プログラムが記録された記録媒体を提供する。
【国際調査報告】
2016533075.tif 000028
2016533075.tif 000029
2016533075.tif 000030
2016533075.tif 000031